(57)【要約】【課題】駆動回路に不具合が生じた場合でも表示機能を維持することができる表示装置を提供する。【解決手段】ゲートライン１２は、隣り合う複数のゲートライン１２ａおよびゲートライン１２ｂで構成され、ゲートライン１２ａを駆動するゲートドライバ３０ａと、ゲートライン１２ｂを駆動するゲートドライバ３０ｂとが設けられる。ゲート出力判定部７１は、ゲートドライバ３０ａ・３０ｂのうちの一方が故障しているか否かを、ゲートドライバ３０ａ・３０ｂから出力されるゲート信号Ｇｏｕｔ_Ａ・Ｇｏｕｔ_Ｂの出力タイミングに基づいて判定する。ゲート出力判定部７１によりゲートドライバ３０ａが故障していると判定された場合には、ゲートドライバ３０ｂによりゲートライン１２ｂを駆動する。【選択図】図１２
2010217344.tif 000002
【特許請求の範囲】
【請求項１】
走査信号線と、該走査信号線に供給される走査信号によってオン／オフされるトランジスタと、該トランジスタの一端に接続された画素電極と、該トランジスタの他端に接続されたデータ信号線とを含む表示パネルを備えた表示装置であって、
走査信号線およびデータ信号線の少なくとも一方の信号線について、隣り合う複数の信号線で構成される組を少なくとも２つ備え、
上記組ごとに、該組の信号線を駆動する信号線駆動回路が少なくとも１つ設けられ、
複数の上記信号線駆動回路のうちの少なくとも１つが故障しているか否かを、各信号線駆動回路から出力される信号の出力タイミングに基づいて判定する判定手段と、
上記判定手段により一の信号線駆動回路が故障していると判定された場合には、少なくとも、他の正常な信号線駆動回路により、該正常な信号線駆動回路に対応する組の信号線を駆動することを特徴とする表示装置。
【請求項２】
上記組ごとに、該組の信号線を駆動する信号線駆動回路が２つ設けられ、
上記判定手段により、一の組に対応する一方の信号線駆動回路が故障していると判定された場合には、同一の組に対応する他方の正常な信号線駆動回路に切り替える切替手段を備えていることを特徴とする請求項１に記載の表示装置。
【請求項３】
上記判定手段は、各信号線駆動回路から出力される信号が、所定のタイミングで出力されているか、および、所定のタイミングではないタイミングで出力されていないかを判定し、
一の信号線駆動回路から出力される信号が、所定のタイミングで出力され、かつ、所定のタイミングではないタイミングで出力されていない場合には、該信号線駆動回路は故障していないと判定する一方、
一の信号線駆動回路から出力される信号が、所定のタイミングで出力されていない場合、または、所定のタイミングではないタイミングで出力されている場合、もしくは、所定のタイミングおよび所定のタイミングではないタイミング双方で出力されている場合には、該信号を異常と判定し、該信号線駆動回路は故障していると判定することを特徴とする請求項２に記載の表示装置。
【請求項４】
上記所定のタイミングは、各組に含まれる信号線の数に応じて予め設定されていることを特徴とする請求項３に記載の表示装置。
【請求項５】
上記信号線駆動回路は、走査信号線駆動回路であって、
上記判定手段は、各組において、複数の走査信号線のうちの走査終了側の端部に位置する走査信号線から出力される走査信号が、上記所定のタイミングで出力されているか、および、上記所定のタイミングではないタイミングで出力されていないかを判定することを特徴とする請求項４に記載の表示装置。
【請求項６】
上記信号線駆動回路は、走査信号線駆動回路であって、
各走査信号線駆動回路は、それぞれに対応するスイッチング素子を介して走査信号線に接続され、
上記切替手段は、上記判定手段により故障したと判定された走査信号線駆動回路に接続されるスイッチング素子にオフ信号を入力する一方、他の正常な走査信号線駆動回路に接続されるスイッチング素子にオン信号を入力することにより、走査信号線駆動回路を切り替えることを特徴とする請求項２〜５のいずれか１項に記載の表示装置。
【請求項７】
上記切替手段は、さらに、上記判定手段により故障したと判定された走査信号線駆動回路へのゲートスタートパルスの出力を停止する一方、他の正常な走査信号線駆動回路に対してゲートスタートパルスを出力することを特徴とする請求項６に記載の表示装置。
【請求項８】
上記信号線駆動回路は、データ信号線駆動回路であって、
上記判定手段は、各組において、複数のデータ信号線のうち、データのサンプリング方向の終了側の端部に位置するデータ信号線から出力されるデータ信号が、上記所定のタイミングで出力されているか、および、上記所定のタイミングではないタイミングで出力されていないかを判定することを特徴とする請求項４に記載の表示装置。
【請求項９】
上記切替手段は、上記判定手段により故障したと判定されたデータ信号線駆動回路へのソーススタートパルスの出力を停止する一方、他の正常なデータ信号線駆動回路に対してソーススタートパルスを出力することを特徴とする請求項８に記載の表示装置。
【請求項１０】
上記判定手段が各信号線駆動回路から出力される信号の出力タイミングが異常であると判定した回数を計測する計測手段をさらに備え、
上記判定手段は、上記計測手段による上記信号の異常判定回数が所定回数に達したときに、該信号を出力する信号線駆動回路が故障していると判定することを特徴とする請求項１〜９のいずれか１項に記載の表示装置。
【請求項１１】
信号線駆動回路の動作状態を外部に報知する報知手段をさらに備え、
上記報知手段は、上記判定手段の判定結果に応じて、各信号線駆動回路が故障しているか否かを外部に報知することを特徴とする請求項１〜１０のいずれか１項に記載の表示装置。
【請求項１２】
一の組に対応する全ての信号線駆動回路が故障した際に、他の組に対応する少なくとも１つの信号線駆動回路が正常である場合には、
上記正常な信号線駆動回路により駆動される信号線が配される表示領域に、当該表示装置の異常を外部に報知するためのメッセージを表示することを特徴とする請求項１〜１１のいずれか１項に記載の表示装置。
【請求項１３】
走査信号線と、該走査信号線に供給される走査信号によってオン／オフされるトランジスタと、該トランジスタの一端に接続された画素電極と、該トランジスタの他端に接続されたデータ信号線とを含み、
走査信号線およびデータ信号線の少なくとも一方の信号線について、隣り合う複数の信号線で構成される組を少なくとも２つ備え、
上記組ごとに、該組の信号線を駆動する信号線駆動回路が少なくとも１つ設けられた、表示パネルを備えた表示装置の駆動方法であって、
複数の上記信号線駆動回路のうちの少なくとも１つが故障しているか否かを、各信号線駆動回路から出力される信号の出力タイミングに基づいて判定する判定ステップと、
上記判定ステップにより一の信号線駆動回路が故障していると判定された場合には、少なくとも、他の正常な信号線駆動回路により、該正常な信号線駆動回路に対応する組の信号線を駆動することを特徴とする表示装置の駆動方法。
【発明の詳細な説明】
【技術分野】
【０００１】
本発明は、例えばアクティブマトリクス型液晶表示パネルのように、走査信号線と、この走査信号線によってオン／オフされるスイッチング素子と、このスイッチング素子の一端に接続された画素電極と、スイッチング素子の他端に接続されたデータ信号線を備えた表示パネルを駆動するための、表示装置及びその駆動方法に関するものである。
【背景技術】
【０００２】
近年、アクティブマトリクス方式の液晶表示装置において、走査信号線駆動回路およびデータ信号線駆動回路を同一のＴＦＴ基板上に作り込むモノリシック回路が提案されている。このモノリシック回路は、装置の小型化および製造工程の簡略化を図ることができるという利点がある反面、駆動回路に不具合が生じた場合には、表示パネル全体が欠陥品と判断され、歩留まり低下の要因となっていた。
【０００３】
そこで、このような駆動回路の不具合が生じた場合でも、歩留まりの低下を防ぐことができる技術が特許文献１等に開示されている。図３３は、特許文献１の液晶表示装置の概略構成を示す図である。この液晶表示装置によれば、２系統の走査信号線駆動回路１３，１５と、２系統のデータ信号線駆動回路１７，１９とを備えている。そのため、一方の走査信号線駆動回路が故障した場合には、他方の正常な走査信号線駆動回路（以下、冗長回路ともいう）に切り替えることができ、また、一方のデータ信号線駆動回路が故障した場合には、他方の正常なデータ信号線駆動回路（冗長回路）に切り替えることができる。そのため、表示パネルの不良率を低減することができ、歩留まりを向上させることができる。
【先行技術文献】
【特許文献】
【０００４】
【特許文献１】特開平６−６７２００号公報（平成６年３月１１日公開）
【発明の概要】
【発明が解決しようとする課題】
【０００５】
ところが、上記特許文献１の技術では、以下の問題点がある。すなわち、上記液晶表示装置は、歩留まりの向上を図る構成であるため、各駆動回路の不具合の検査および冗長回路への切り替え処理を、製品出荷前、特に最終検査工程において行っている。そのため、最終検査工程において正常と判定され、一般ユーザに出回ったものについては、冗長回路への切り替え処理を行うことは困難となる。
【０００６】
そのため、ユーザによる長期使用中に駆動回路が故障した場合には、たとえ冗長回路を有していたとしても、冗長回路への切り替え処理は自動的には行われないため、結果として、表示パネルの故障と判断され、表示画面には何も表示されなくなってしまう。
【０００７】
また、通常のＬＳＩを実装した表示パネルでも、長期間使用することで、割合的には小さいものの不具合を生じる可能性がある。信頼性が求められる用途で表示パネルを使用する場合には、このような不具合すら許されないことがある。さらに、昨今のようにドライバ回路を表示パネル内に作りこんだ場合には、不具合発生の確率が格段に上がり、特にアモルファスパネル等でドライバ回路を作りこんだ場合には、不具合発生のリスクが非常に高くなる。
【０００８】
ここで、その具体例を、図３４〜３６を用いて説明する。図３４は、パネル内にゲートドライバを作りこんだ場合の全体構成を示すブロック図であり、ゲートドライバの一構成例を示している。また、図３５は、図３４のゲートドライバを構成する各シフトレジスタの内部回路図である。ここでは、ＮチャネルのＴＦＴのみを利用し、アモルファスシリコン等でパネル内に構成した場合のシフトレジスタの一構成例を示している。図３６は図３５に示すシフトレジスタの動作例を示すタイミングチャートである。
【０００９】
図３４に示す最上段のシフトレジスタのＱｎ−１には、コントローラ部から出力されるＧＳＰＯＩが入力される。それ以外のシフトレジスタには、前段の出力がＱｎ−１に入力される（セット）。また各段の出力は、前段のＱｎ＋１に入力される（リセット）構成となっている。また奇数番目のシフトレジスタにはｃｋａにＧＣＫが、ｃｋｂにＧＣＫＢが入力され、偶数番目のシフトレジスタにはｃｋａにＧＣＫＢが、ｃｋｂにＧＣＫが入力される。一例として奇数番目（２ｎ＋１）のシフトレジスタの動作原理を説明すると、まず前段のＧｏｕｔ（２ｎ）が出力されると、その出力が２ｎ＋１番目のシフトレジスタに入力され（図３４のＧｎ−１（前段））、これによりトランジスタＴｒＢがＯＮし、ｎｅｔＡ（２ｎ＋１）がＨｉレベルになる。次に、ＧＣＫが立ち上がると（ＧＣＫが図３４のｃｋａに接続されている）、ＴｒＩ部のブートストラップ効果により、ｎｅｔＡが更に昇圧され、これによりＴｒＩがＯＮ状態になる。ＴｒＩがＯＮ状態になったとき、Ｇｏｕｔ（２ｎ＋１）はＧＣＫの出力がそのまま出力される。同様にＧｏｕｔ（２ｎ＋１）は、次段（２ｎ＋２段目）のシフトレジスタをセットし、次のＧＣＫＢの立ち上がりのタイミングでＧｏｕｔ（２ｎ＋２）が出力される。Ｇｏｕｔ（２ｎ＋２）は図３４のＧｎ＋１（次段）に接続されているため、Ｇｏｕｔ（２ｎ＋２）により、２ｎ＋１段目のシフトレジスタのＴｒＬおよびＴｒＮがＯＮ状態となり、Ｇｏｕｔ（２ｎ＋１）およびｎｅｔＡ（２ｎ＋１）がＬｏレベルに落とされる。以上のようなサイクルで、初段から最終段まで出力をシフトさせる。なお、ＣＬＲ信号は強制的に出力を停止させたり、リセットしたりするのに用いられる。
【００１０】
このような回路では、周知のように、長時間動作させていると、トランジスタの閾値電圧（Ｖｔｈ）がシフト（プラス側にシフト）する傾向があり、これによりトランジスタの電流駆動能力が減少し、シフト動作ができなくなる不具合が発生する。この不具合は、温度にも依存し、厳しい条件下で使われれば使われるほど発生しやすい傾向にある。
【００１１】
そのため、このような駆動回路を備える液晶表示装置を、高温環境下に晒される車載インパネ等に適用した場合には特に重大な問題が生じる。具体的には、上記液晶表示装置を適用した車載インパネにおいて上記不具合が発生した場合には、車両の運転中に、突然、インパネの表示（例えば、スピードメータ、タコメータ、エンジン温度計、燃料残量計、ウインカー、シートベルト警告灯等の各種警告灯、地図を表示するナビゲーション、Ｗｅｂサイト情報、自車を含む車両周囲と車内のコンディションに関する情報など）が非表示状態となるため、安全走行が損なわれ、重大な事故を招くおそれがある。
【００１２】
以上のように、従来の駆動回路は長期間の使用により不具合が生じるおそれがあるため、このような駆動回路を備える従来の液晶表示装置は、車載インパネなど、特に高信頼性（高温度範囲）および長期寿命が求められる分野に適用することは非常に困難である。
【００１３】
本発明は、上記の問題点に鑑みてなされたものであり、その目的は、駆動回路に不具合が生じた場合でも表示機能を維持することができる表示装置およびその駆動方法を提供することにある。
【課題を解決するための手段】
【００１４】
本発明に係る表示装置は、上記課題を解決するために、走査信号線と、該走査信号線に供給される走査信号によってオン／オフされるトランジスタと、該トランジスタの一端に接続された画素電極と、該トランジスタの他端に接続されたデータ信号線とを含む表示パネルを備えた表示装置であって、走査信号線およびデータ信号線の少なくとも一方の信号線について、隣り合う複数の信号線で構成される組を少なくとも２つ備え、上記組ごとに、該組の信号線を駆動する信号線駆動回路が少なくとも１つ設けられ、複数の上記信号線駆動回路のうちの少なくとも１つが故障しているか否かを、各信号線駆動回路から出力される信号の出力タイミングに基づいて判定する判定手段と、上記判定手段により一の信号線駆動回路が故障していると判定された場合には、少なくとも、他の正常な信号線駆動回路により、該正常な信号線駆動回路に対応する組の信号線を駆動することを特徴とする。
【００１５】
上記構成によれば、例えば、複数の走査信号線が２組に分割され、それぞれの組について１つの走査信号線駆動回路が設けられている構成とすることができる。そして、一方の走査信号線駆動回路が故障した場合には、他方の走査信号線駆動回路により自身の組の走査信号線を駆動することができる。これにより、上記他方の走査信号線駆動回路により駆動される走査信号線が配される正常な表示領域では、表示機能を維持することができる。そのため、例えば、上記正常な表示領域に、表示装置に異常が発生している旨のメッセージ（警告）を表示させる等の動作を行うことができる。
【００１６】
このように、上記構成では、ある信号線駆動回路が故障したとしても、表示機能を維持することができるため、突然、表示画面全体が何も表示されなくなるという不具合を回避することができる。
【００１７】
なお、信号線駆動回路は、走査信号線駆動回路および信号線駆動回路の何れでもよく、また、両方であってもよい。
【００１８】
本表示装置では、上記組ごとに、該組の信号線を駆動する信号線駆動回路が２つ設けられ、上記判定手段により、一の組に対応する一方の信号線駆動回路が故障していると判定された場合には、同一の組に対応する他方の正常な信号線駆動回路に切り替える切替手段を備えている構成とすることもできる。
【００１９】
上記構成によれば、１つの組に対して信号線駆動回路が２つ設けられ、一方の信号線駆動回路が故障した場合には、他方の信号線駆動回路により該組の信号線が駆動される。
【００２０】
そのため、一方の信号線駆動回路が故障したとしても、他方の正常な信号線駆動回路に自動的に切り替えられるため、正常な表示動作を維持することができる。よって、表示装置の寿命を延ばすことができる。また、製造歩留まりを向上させることもできる。
【００２１】
本表示装置では、上記判定手段は、各信号線駆動回路から出力される信号が、所定のタイミングで出力されているか、および、所定のタイミングではないタイミングで出力されていないかを判定し、一の信号線駆動回路から出力される信号が、所定のタイミングで出力され、かつ、所定のタイミングではないタイミングで出力されていない場合には、該信号線駆動回路は故障していないと判定する一方、一の信号線駆動回路から出力される信号が、所定のタイミングで出力されていない場合、または、所定のタイミングではないタイミングで出力されている場合、もしくは、所定のタイミングおよび所定のタイミングではないタイミング双方で出力されている場合には、該信号を異常と判定し、該信号線駆動回路は故障していると判定する構成とすることもできる。
【００２２】
上記の構成によれば、信号線駆動回路から信号が全く出力されない場合や、所定のタイミングで正常に出力されているにもかかわらず他のタイミングでも出力されている場合など、様々なケースの異常を検出することができるため、信号線駆動回路の故障を検出する精度を高めることができる。
【００２３】
本表示装置では、上記所定のタイミングは、各組に含まれる信号線の数に応じて予め設定されている構成とすることもできる。
【００２４】
上記構成では、例えば、８００ＲＧＢ×４８０（ＷＶＧＡ）の液晶表示装置において、４８０本の走査信号線が２組（各２４０本）に分割されている場合には、上記所定のタイミングを、ゲートスタートパルスの出力から２４０ラインの走査（２４０水平走査期間）終了時点とすることができる。このように、信号線の数によれば上記所定のタイミングを容易に設定することができる。
【００２５】
本表示装置では、上記信号線駆動回路は、走査信号線駆動回路であって、上記判定手段は、各組において、複数の走査信号線のうちの走査終了側の端部に位置する走査信号線から出力される走査信号が、上記所定のタイミングで出力されているか、および、上記所定のタイミングではないタイミングで出力されていないかを判定する構成とすることもできる。
【００２６】
上記の例によれば、信号線駆動回路が正常に駆動している場合には、走査終了側の端部に位置する走査信号線から出力される走査信号は、ゲートスタートパルスの出力から２４０ラインの走査（２４０水平走査期間）終了時点で出力されることになる。よって、上記走査信号をモニタリングすることにより、信号線駆動回路が正常に駆動しているか否かを容易に判定することができる。
【００２７】
本表示装置では、上記信号線駆動回路は、走査信号線駆動回路であって、各走査信号線駆動回路は、それぞれに対応するスイッチング素子を介して走査信号線に接続され、上記切替手段は、上記判定手段により故障したと判定された走査信号線駆動回路に接続されるスイッチング素子にオフ信号を入力する一方、他の正常な走査信号線駆動回路に接続されるスイッチング素子にオン信号を入力することにより、走査信号線駆動回路を切り替える構成とすることもできる。
【００２８】
上記の構成によれば、故障した走査信号線駆動回路を走査信号線から電気的に切断することができるため、駆動回路を切り替えた後に、故障した走査信号線駆動回路に起因する誤動作の危険性を抑えることができる。
【００２９】
本表示装置では、上記切替手段は、さらに、上記判定手段により故障したと判定された走査信号線駆動回路へのゲートスタートパルスの出力を停止する一方、他の正常な走査信号線駆動回路に対してゲートスタートパルスを出力する構成とすることもできる。
【００３０】
上記の構成によれば、故障した走査信号線駆動回路にはゲートスタートパルスが入力されなくなり、この走査信号線駆動回路の動作を停止させることができるため、無駄な消費電力を削減することができる。また、モノリシック回路の場合、閾値の無駄なシフトを停止することができるため、トータル寿命を向上させることにも寄与する。
【００３１】
本表示装置では、上記信号線駆動回路は、データ信号線駆動回路であって、上記判定手段は、各組において、複数のデータ信号線のうち、データのサンプリング方向の終了側の端部に位置するデータ信号線から出力されるデータ信号が、上記所定のタイミングで出力されているか、および、上記所定のタイミングではないタイミングで出力されていないかを判定する構成とすることもできる。
【００３２】
これにより、簡易な方法により、データ信号線駆動回路の故障を判定することができる。なお、上記データ信号は、具体的には、データ信号線駆動回路から各データ信号線に印加される信号、または、データ信号線駆動回路から制御回路（コントロール部）に入力される、ソーススタートパルスに対応した信号をいう。
【００３３】
本表示装置では、上記切替手段は、上記判定手段により故障したと判定されたデータ信号線駆動回路へのソーススタートパルスの出力を停止する一方、他の正常なデータ信号線駆動回路に対してソーススタートパルスを出力する構成とすることもできる。
【００３４】
上記の構成によれば、故障したデータ信号線駆動回路にはソーススタートパルスが入力されなくなり、このデータ信号線駆動回路の動作を停止させることができるため、無駄な消費電力を削減することができる。
【００３５】
本表示装置では、上記判定手段が各信号線駆動回路から出力される信号の出力タイミングが異常であると判定した回数を計測する計測手段をさらに備え、上記判定手段は、上記計測手段による上記信号の異常判定回数が所定回数に達したときに、該信号を出力する信号線駆動回路が故障していると判定する構成とすることもできる。
【００３６】
上記の構成によれば、上記異常判定回数を、例えば複数回に設定できる。これにより、表示品位に影響を与えない異常（例えば、ノイズ）を１回検出した場合などに、不要に駆動回路が切り替わることを防ぐことができ、信頼性を向上させることができる。
【００３７】
本表示装置では、信号線駆動回路の動作状態を外部に報知する報知手段をさらに備え、上記報知手段は、上記判定手段の判定結果に応じて、各信号線駆動回路が故障しているか否かを外部に報知する構成とすることもできる。
【００３８】
これにより、各信号線駆動回路の故障をユーザに認識させることができる。具体的な報知方法としては、ＬＥＤランプを点灯させる、メッセージを表示させる、エラー音を発する、など周知の方法を適用することができる。
【００３９】
ここで、例えば車載用（インパネなど）に適用した場合には、乗車しているドライバにとって、スピードメータなどを表示しているインパネが表示しないことは非常に大きな問題となる。この点、上記の構成によれば、一の信号線駆動回路が故障しても、他の信号線駆動回路により正常に表示させることができるとともに、一の信号線駆動回路が故障したことをドライバに認識させることができる。すなわち、インパネが正常に作動している状態で、部品交換や修理などの適切な処置を施すことができるため、インパネが全く表示されなくなるという最悪の事態を回避することができる。
【００４０】
本表示装置では、一の組に対応する全ての信号線駆動回路が故障した際に、他の組に対応する少なくとも１つの信号線駆動回路が正常である場合には、上記正常な信号線駆動回路により駆動される信号線が配される表示領域に、当該表示装置の異常を外部に報知するためのメッセージを表示する構成とすることもできる。
【００４１】
これにより、表示装置の異常をユーザに認識させることができる。
【００４２】
本発明に係る表示装置の駆動方法は、走査信号線と、該走査信号線に供給される走査信号によってオン／オフされるトランジスタと、該トランジスタの一端に接続された画素電極と、該トランジスタの他端に接続されたデータ信号線とを含み、走査信号線およびデータ信号線の少なくとも一方の信号線について、隣り合う複数の信号線で構成される組を少なくとも２つ備え、上記組ごとに、該組の信号線を駆動する信号線駆動回路が少なくとも１つ設けられた、表示パネルを備えた表示装置の駆動方法であって、複数の上記信号線駆動回路のうちの少なくとも１つが故障しているか否かを、各信号線駆動回路から出力される信号の出力タイミングに基づいて判定する判定ステップと、上記判定ステップにより一の信号線駆動回路が故障していると判定された場合には、少なくとも、他の正常な信号線駆動回路により、該正常な信号線駆動回路に対応する組の信号線を駆動することを特徴とする。
【００４３】
上記方法では、上記表示装置に関して述べた効果と同じく、駆動回路に不具合が生じた場合でも表示機能を維持することができる効果を奏する。
【発明の効果】
【００４４】
本発明に係る表示装置及びその駆動方法は、以上のように、複数の信号線駆動回路の少なくとも一が故障しているか否かを、各信号線駆動回路から出力される信号の出力タイミングに基づいて判定し、一の信号線駆動回路が故障していると判定された場合には、他の正常な信号線駆動回路により、該正常な信号線駆動回路に対応する組の信号線を駆動するものである。
【００４５】
上記構成及び方法によれば、駆動回路に不具合が生じた場合でも表示機能を維持することができる効果を奏する。
【図面の簡単な説明】
【００４６】
【図１】本発明の実施の形態１に係る液晶表示装置の構成を示すブロック図である。
【図２】図１の液晶表示装置における各画素の電気的構成を示す等価回路図である。
【図３】図１の液晶表示装置におけるゲートドライバの構成を示すブロック図である。
【図４】図１の液晶表示装置における第１ゲートドライバが正常に動作している場合の各種信号を示すタイミングチャートである。
【図５】図１の液晶表示装置における第１ゲートドライバが故障した場合の各種信号を示すタイミングチャートである。
【図６】図１の液晶表示装置における第２ゲートドライバが故障した場合の各種信号を示すタイミングチャートである。
【図７】図１の液晶表示装置における第３ゲートドライバが故障した場合の各種信号を示すタイミングチャートである。
【図８】図１の液晶表示装置における第４ゲートドライバが故障した場合の各種信号を示すタイミングチャートである。
【図９】図１の液晶表示装置における第１ゲートドライバが故障した場合の他の例を示すタイミングチャートである。
【図１０】図１の液晶表示装置の第１ゲートドライバおよび第３ゲートドライバの異常を検知する動作例を示すフローチャートである。
【図１１】図１の液晶表示装置の第２ゲートドライバおよび第４ゲートドライバの異常を検知する動作例を示すフローチャートである。
【図１２】本発明の液晶表示装置の他の構成を示すブロック図である。
【図１３】本発明の液晶表示装置の他の構成を示すブロック図である。
【図１４】図１３の液晶表示装置におけるゲートドライバの構成を示すブロック図である。
【図１５】図１４のゲートドライバを構成するシフトレジスタの内部構成を示す回路図である。
【図１６】図１３の液晶表示装置における第１ゲートドライバが故障した場合の各種信号を示すタイミングチャートである。
【図１７】図１３の液晶表示装置における第４ゲートドライバが故障した場合の各種信号を示すタイミングチャートである。
【図１８】図１３の液晶表示装置の第１ゲートドライバおよび第３ゲートドライバの異常を検知する動作例を示すフローチャートである。
【図１９】図１３の液晶表示装置の第２ゲートドライバおよび第４ゲートドライバの異常を検知する動作例を示すフローチャートである。
【図２０】本発明の実施の形態２に係る液晶表示装置の構成を示すブロック図である。
【図２１】図２０の液晶表示装置におけるソースドライバの概略構成を示すブロック図である。
【図２２】図２０の液晶表示装置における第１ソースドライバが正常に動作している場合の各種信号を示すタイミングチャートである。
【図２３】図２０の液晶表示装置における第１ソースドライバの第１ソースチップドライバが故障している状態を示すブロック図である。
【図２４】図２０の液晶表示装置における第１ソースドライバが故障した場合の各種信号を示すタイミングチャートである。
【図２５】図２０の液晶表示装置における第３ソースドライバが故障した場合の各種信号を示すタイミングチャートである。
【図２６】図２０の液晶表示装置の動作例（ソースドライバ）を示すフローチャートである。
【図２７】本発明の液晶表示装置の他の構成を示すブロック図である。
【図２８】図２０の液晶表示装置における第１ゲートドライバが正常に動作している場合の各種信号を示すタイミングチャートである。
【図２９】図２０の液晶表示装置における第１ゲートドライバが故障した場合の各種信号を示すタイミングチャートである。
【図３０】図２０の液晶表示装置における第３ゲートドライバが故障した場合の各種信号を示すタイミングチャートである。
【図３１】図２０の液晶表示装置の動作例（ゲートドライバ）を示すフローチャートである。
【図３２】図２０の液晶表示装置の他の構成を示すブロック図である。
【図３３】従来の液晶表示装置の構成を示すブロック図である。
【図３４】図３３の液晶表示装置におけるゲートドライバの構成を示すブロック図である。
【図３５】図３４のゲートドライバを構成する各シフトレジスタの内部回路図である。
【図３６】図３５に示すシフトレジスタの動作例を示すタイミングチャートである。
【発明を実施するための形態】
【００４７】
〔実施の形態１〕
本発明の一実施形態について図１から図１９に基づいて説明すると以下の通りである。
【００４８】
まず、図１及び図２に基づいて本発明の表示装置に相当する液晶表示装置１の構成について説明する。なお、図１は液晶表示装置１の全体構成を示すブロック図であり、ゲートドライバ（走査信号線駆動回路）がパネル内に一体形成されている場合を示している。図２は液晶表示装置１の画素の電気的構成を示す等価回路図である。
【００４９】
液晶表示装置１は、アクティブマトリクス型の液晶表示パネル１０、ソースドライバ（データ信号線駆動回路）２０、第１ゲートドライバ（走査信号線駆動回路）３０ａ、第２ゲートドライバ３０ｂ、第３ゲートドライバ４０ａ、第４ゲートドライバ４０ｂ、第１切替スイッチ部（切替手段）５０ａ、第２切替スイッチ部５０ｂ、第３切替スイッチ部６０ａ、第４切替スイッチ部６０ｂ、コントロール部（切替手段）７０、報知部（報知手段）８０を備えている。
【００５０】
液晶表示パネル１０は、図示しないアクティブマトリクス基板と対向基板との間に液晶を挟持して構成されており、行列状に配列された多数の画素Ｐ（図２参照）を有している。
【００５１】
そして、液晶表示パネル１０は、図２に示すように、アクティブマトリクス基板上に、ソースバスライン（データ信号線）１１、ゲートライン（走査信号線）１２（１２ａ・１２ｂ）、薄膜トランジスタ（Thin Film Transistor；以下「ＴＦＴ」と称する）１３、および画素電極１４を備え、対向基板上に対向電極１８を備えている。
【００５２】
ソースバスライン１１は、列方向（縦方向）に互いに平行となるように各列に１本ずつ形成されており、ゲートライン１２は行方向（横方向）に互いに平行となるように各行に１本ずつ形成されている。ゲート信号（走査信号）の走査終了側に位置する最端部には、ゲートライン１２に平行して、表示に寄与しないダミーのゲートライン（ダミーライン、ダミー走査信号線）１２ｘ（図１参照）が設けられている。ＴＦＴ１３及び画素電極１４は、ソースバスライン１１とゲートライン１２との各交点に対応してそれぞれ形成されており、ＴＦＴ１３のソース電極ｓがソースバスライン１１に、ゲート電極ｇがゲートライン１２に、ドレイン電極ｄが画素電極１４にそれぞれ接続されている。また、画素電極１４は、対向電極１８との間に液晶を介して液晶容量１７を形成している。
【００５３】
これにより、ゲートライン１２に供給されるゲート信号（走査信号）によってＴＦＴ１３のゲートをオンし、ソースバスライン１１からのデータ信号を画素電極１４に書き込んで画素電極１４を上記ソース信号に応じた電位に設定し、対向電極１８との間に介在する液晶に対して上記ソース信号に応じた電圧を印加することによって、上記ソース信号に応じた階調表示を実現することができる。
【００５４】
なお、液晶表示装置１は、図２に示すように、ＣＳバスライン（保持容量配線）１５を含んでいてもよい。ＣＳバスライン１５は、行方向（横方向）に互いに平行となるように各行に１本ずつ形成され、ゲートライン１２と対をなすように配置される。この各ＣＳバスライン１５は、それぞれ各行に配置された画素電極１４と容量結合され、各画素電極１４との間で保持容量（「補助容量」ともいう。）１６を形成する。
【００５５】
第１ゲートドライバ３０ａおよび第３ゲートドライバ４０ａは、同一のゲートラインを介して対を成して構成され、第２ゲートドライバ３０ｂおよび第４ゲートドライバ４０ｂは、同一のゲートラインを介して対を成して構成され、各ゲートライン（１２）は、隣り合う連続して配される複数本を１組として構成されている。すなわち、１組のゲートライン１２ａの一端に第１ゲートドライバ３０ａが接続されるとともに、他端に第３ゲートドライバ４０ａが接続されており、１組のゲートライン１２ｂの一端に第２ゲートドライバ３０ｂが接続されるとともに、他端に第４ゲートドライバ４０ｂが接続されている。
【００５６】
第１切替スイッチ部５０ａは、各ゲートライン１２ａに対応して複数の第１スイッチ（スイッチング素子）５１ａを含んで構成されている。具体的には、各第１スイッチ５１ａは、一方の導通電極が第１ゲートドライバ３０ａに接続され、他方の導通電極が各ゲートライン１２ａに接続されるとともに、それぞれの制御電極が互いに接続されている。これにより、制御電極にオン信号を入力することにより、全ての第１スイッチ５１ａがオンし、第１ゲートドライバ３０ａとゲートライン１２ａとが電気的に接続され、制御電極にオフ信号を入力することにより、全ての第１スイッチ５１ａがオフし、第１ゲートドライバ３０ａとゲートライン１２ａとが電気的に切断される。
【００５７】
第２切替スイッチ部５０ｂは、各ゲートライン１２ｂに対応して複数の第２スイッチ（スイッチング素子）５１ｂを含んで構成されている。具体的には、各第２スイッチ５１ｂは、一方の導通電極が第２ゲートドライバ３０ｂに接続され、他方の導通電極が各ゲートライン１２ｂに接続されるとともに、それぞれの制御電極が互いに接続されている。これにより、制御電極にオン信号を入力することにより、全ての第２スイッチ５１ｂがオンし、第２ゲートドライバ３０ｂとゲートライン１２ｂとが電気的に接続され、制御電極にオフ信号を入力することにより、全ての第２スイッチ５１ｂがオフし、第２ゲートドライバ３０ｂとゲートライン１２ｂとが電気的に切断される。
【００５８】
第３切替スイッチ部６０ａは、各ゲートライン１２ａに対応して複数の第３スイッチ（スイッチング素子）６１ａを含んで構成されている。具体的には、各第３スイッチ６１ａは、一方の導通電極が第３ゲートドライバ４０ａに接続され、他方の導通電極が各ゲートライン１２ａに接続されるとともに、それぞれの制御電極が互いに接続されている。これにより、制御電極にオン信号を入力することにより、全ての第３スイッチ６１ａがオンし、第３ゲートドライバ４０ａとゲートライン１２ａとが電気的に接続され、制御電極にオフ信号を入力することにより、全ての第３スイッチ６１ａがオフし、第３ゲートドライバ４０ａとゲートライン１２ａとが電気的に切断される。
【００５９】
第４切替スイッチ部６０ｂは、各ゲートライン１２ｂに対応して複数の第４スイッチ（スイッチング素子）６１ｂを含んで構成されている。具体的には、各第４スイッチ６１ｂは、一方の導通電極が第４ゲートドライバ４０ｂに接続され、他方の導通電極が各ゲートライン１２ｂに接続されるとともに、それぞれの制御電極が互いに接続されている。これにより、制御電極にオン信号を入力することにより、全ての第４スイッチ６１ｂがオンし、第４ゲートドライバ４０ｂとゲートライン１２ｂとが電気的に接続され、制御電極にオフ信号を入力することにより、全ての第４スイッチ６１ｂがオフし、第４ゲートドライバ４０ｂとゲートライン１２ｂとが電気的に切断される。
【００６０】
このように、第１ゲートドライバ３０ａおよび第３ゲートドライバ４０ａは、同一の機能を有し、第１ゲートドライバ３０ａは第１切替スイッチ部５０ａを介してゲートライン１２ａに接続され、第３ゲートドライバ４０ａは第３切替スイッチ部６０ａを介してゲートライン１２ａに接続されている。すなわち、第１ゲートドライバ３０ａおよび第３ゲートドライバ４０ａは、同一の信号線（ゲートライン１２ａ）を介して対を成して配され、冗長性を有するように構成されている。同様に、第２ゲートドライバ３０ｂおよび第４ゲートドライバ４０ｂは、同一の機能を有し、第２ゲートドライバ３０ｂは第２切替スイッチ部５０ｂを介してゲートライン１２ｂに接続され、第４ゲートドライバ４０ｂは第４切替スイッチ部６０ｂを介してゲートライン１２ｂに接続されている。すなわち、第２ゲートドライバ３０ｂおよび第４ゲートドライバ４０ｂは、同一の信号線（ゲートライン１２ｂ）を介して対を成して配され、冗長性を有するように構成されている。以下では、必要に応じて、第１ゲートドライバ３０ａおよび第２ゲートドライバ３０ｂをそれぞれメインゲートドライバ３０ａおよびメインゲートドライバ３０ｂ、第３ゲートドライバ４０ａおよび第４ゲートドライバ４０ｂをそれぞれサブゲートドライバ４０ａ（冗長回路）サブゲートドライバ４０ｂ（冗長回路）ともいう。
【００６１】
コントロール部７０は、各駆動回路（ゲートドライバおよびソースドライバ）を制御する一般的な機能（図示せず）に加えて、各ゲートドライバ（３０ａ・３０ｂ・４０ａ・４０ｂ）から出力されるゲート信号（Ｇｏｕｔ）をモニタリングして、その出力タイミングが正常であるか否かを判定するゲート出力判定部７１を有している。ゲート出力判定部７１により、ゲート信号の出力タイミングが異常であると判定された場合には、正常な表示が行われないため、当該ゲート信号を出力したゲートドライバの故障と判定される。具体的な判定方法については後述する。
【００６２】
また、コントロール部７０は、ゲート出力判定部７１の判定結果に応じて、ゲートライン１２ａを駆動するためのドライバについて、第１ゲートドライバ３０ａおよび第３ゲートドライバ４０ａ間で相互に切り替えるためのゲートドライバ切替信号ＳＷ（ＳＷ_Ａ・ＳＷ_Ｂ）を出力し、ゲートライン１２ｂを駆動するためのドライバについて、第２ゲートドライバ３０ｂおよび第４ゲートドライバ４０ｂ間で相互に切り替えるためのゲートドライバ切替信号ＳＷ（ＳＷ_Ｃ・ＳＷ_Ｄ）を出力する。すなわち、コントロール部７０は、メインゲートドライバをサブゲートドライバに切り替える切替手段としての機能も有する。
【００６３】
また、コントロール部７０は、ゲートドライバに異常が発生した場合に液晶表示パネル１０に表示させるためのメッセージデータを格納するメモリ部７６を備えている。このメッセージを表示させる際には、当該データに応じた電位をソースドライバ２０に供給する。
【００６４】
さらに、コントロール部７０は、ゲートドライバの異常状態を外部に報知するためのエラーフラグを報知部８０に出力する。報知部８０は、ゲートドライバの故障をユーザに知らせる機能を有し、例えば、ＬＥＤランプを点灯させる、メッセージを表示させる、エラー音を発する、など周知の方法を適用することができる。このコントロール部７０のより詳細な構成については後述する。
【００６５】
なお、図１に示すように、コントロール部７０と、各ゲートドライバとの間には、ロジックレベルとゲート駆動レベルとを互いにシフトするためのレベルシフタ７２が設けられているが、このレベルシフタ７２は、コントロール部７０内に設けられていてもよい。また、レベルシフタ７２およびコントロール部７０が、ソースドライバ２０内に設けられていてもよい。
【００６６】
本実施の形態では、周期的に繰り返される垂直走査期間におけるアクティブ期間（有効走査期間）において、各行の水平走査期間を順次割り当て、各行を順次走査していく。そのため、各ゲートドライバ（３０ａ・３０ｂ・４０ａ・４０ｂ）は、ＴＦＴ１３をオンするためのゲート信号を各行の水平走査期間に同期して当該行のゲートライン１２に対して順次出力する。
【００６７】
また、ソースドライバ２０は、各ソースバスライン１１に対してソース信号を出力する。このソース信号は、液晶表示装置１の外部からコントロール部７０を介してソースドライバ２０に供給された映像信号を、ソースドライバ２０において各列に割り当て、昇圧等を施した信号である。
【００６８】
（液晶表示装置１の動作例１）
次に、コントロール部７０の具体的な構成とともに、液晶表示装置１の動作例について説明する。ここでは、一例として、８００ＲＧＢ×４８０（ＷＶＧＡ）の液晶表示装置１を例に挙げて説明する。
【００６９】
図３は、本液晶表示装置のゲートドライバの構成を示すブロック図である。同図に示すように、第１ゲートドライバ３０ａを構成する各シフトレジス（Ａ１・Ａ２…）と、第３ゲートドライバ４０ａを構成する各シフトレジスタ（Ｃ１・Ｃ２…）とが、同一のゲートライン１２ａを介して互いに接続され、第２ゲートドライバ３０ｂを構成する各シフトレジス（Ｂ１・Ｂ２…）と、第４ゲートドライバ４０ｂを構成する各シフトレジスタ（Ｄ１・Ｄ２…）とが、同一のゲートライン１２ｂを介して互いに接続されている。各ゲートドライバの初段のシフトレジスタには、ゲートスタートパルスＧＳＰが入力され、最終段のシフトレジスタからはゲート出力Ｇｏｕｔが出力される。
【００７０】
図４は、第１（メイン）ゲートドライバ３０ａが正常に動作している場合の、コントロール部７０、第１および第２ゲートドライバ３０ａ・３０ｂにおける各種信号を示すタイミングチャートであり、図５は、第１（メイン）ゲートドライバ３０ａが故障した場合の、コントロール部７０、第１，第２および第３ゲートドライバ（３０ａ・３０ｂ・４０ａ）における各種信号を示すタイミングチャートであり、図６は、第２（メイン）ゲートドライバ３０ｂが故障した場合の、コントロール部７０、第１，第２および第４ゲートドライバ（３０ａ・３０ｂ・４０ｂ）における各種信号を示すタイミングチャートである。
【００７１】
各図において、ＧＣＫおよびＧＣＫＢはクロック信号を示し、ＧＳＰはゲートスタートパルスを示し、Ｇ１，Ｇ２，…，Ｇ２３９，Ｇ２４０，Ｇ２４１，…，Ｇ４８０，Ｇ４８１（Ｇｏｕｔ_Ａ）はそれぞれ、１行目，２行目，…，２３９行目，２４０行目，２４１行目，４８０段目（最終段），４８１段目（アクティブエリア１０ａの外領域、ダミーライン１２ｘに対応）のゲートラインのゲート信号を示している。検知パルス（検知Pulse）は、各行のゲート信号のハイレベル（Ｈｉレベル）／ローレベル（Ｌｏレベル）を周期的に検知するためのトリガーとなる信号であり、ここでは１水平走査期間ごとに検知する構成となっている。ＳＷ_Ａ、ＳＷ_Ｂ、ＳＷ_Ｃ、およびＳＷ_Ｄは、それぞれ、第１切替スイッチ部５０ａ、第２切替スイッチ部５０ｂ、第３切替スイッチ部６０ａ、および第４切替スイッチ部６０ｂに入力されるゲートドライバ切替信号を示し、ＳＷがＨｉレベル（Ｈｉ）のときは、切替スイッチ部がオン状態となって対応するゲートドライバがアクティブ状態となり、Ｌｏレベル（Ｌｏ）のときは、切替スイッチ部がオフ状態となって対応するゲートドライバは非アクティブ状態となる。エラーフラグＡ〜Ｄは、各ゲートドライバ切替信号ＳＷ_Ａ〜ＳＷ_ＤがＨｉレベルからＬｏレベルに切り替えられるタイミングに同期して出力される信号である。
【００７２】
まず、第１（メイン）ゲートドライバ３０ａおよび第２（メイン）ゲートドライバ３０ｂが正常に動作している場合について説明する。
【００７３】
初期状態において、ＳＷ_ＡおよびＳＷ_ＢはＨｉレベル、ＳＷ_ＣおよびＳＷ_ＤはＬｏレベルに設定されている。これにより、第１切替スイッチ部５０ａおよび第２切替スイッチ部５０ｂがオン状態となって第１ゲートドライバ３０ａおよび第２ゲートドライバ３０ｂがアクティブ状態となり、第３切替スイッチ部６０ａおよび第４切替スイッチ部６０ｂがオフ状態となって第３ゲートドライバ４０ａおよび第４ゲートドライバ４０ｂが非アクティブ状態となる。
【００７４】
コントロール部７０から第１ゲートドライバ３０ａにＧＳＰ_Ａが入力されると、初段（１段目）のシフトレジスタＡ１（図３）がセットされる。この状態で、初段のシフトレジスタＡ１の端子ｃｋａにＨｉパルスが入力される（すなわち、ＧＣＫがＨｉレベルになる）ことにより、ゲート信号Ｇ１が出力される。ゲート信号Ｇ１は、次段（２段目）のシフトレジスタＡ２をセットし、このシフトレジスタＡ２の端子ｃｋａにＨｉパルスが入力される（すなわち、ＧＣＫＢがＨｉレベルになる）ことにより、ゲート信号Ｇ２が出力される。同様にして順次、出力パルス（ゲート信号）がシフトしていき、最終段（２４０段目）のシフトレジスタＡ２４０に入力される。そして、シフトレジスタＡ２４０から出力されたゲート信号Ｇ２４０（Ｇｏｕｔ_Ａ）が、最終段のゲートライン１２ａに入力されるとともに、コントロール部７０に入力される。
【００７５】
ここで、コントロール部７０のゲート出力判定部７１では、ゲート信号が正規（所定）のタイミングで出力されているか否かを判定する。具体的には、ゲート出力判定部７１は、２４０行目のゲート信号Ｇｏｕｔ_Ａが、ＧＳＰ_Ａが出力されてから２４０ライン（２４０水平走査期間）後に出力されているか、および、ゲート信号Ｇｏｕｔ_Ａが、ＧＳＰ_Ａが出力されてから２４０ライン後でないタイミングで出力されていないかを、検知パルスをトリガーとして１水平走査期間ごとに、２４０行目のゲートライン１２ａをモニタリングして判定する。ゲート出力判定部７１が、２４０行目のゲート信号Ｇｏｕｔ_Ａが正規のタイミングで出力されていないと判定した場合には、第１ゲートドライバ３０ａの故障と判定し、コントロール部７０はゲートドライバ切替信号ＳＷ_ＡをＨｉレベルからＬｏレベルに切り替える（後述の図５の説明）。
【００７６】
図４では、２４０行目のゲート信号Ｇｏｕｔ_Ａが、正規のタイミング（２４０ライン（２４０水平走査期間）後）で出力されているため（図４の丸囲み部分）、第１ゲートドライバ３０ａは正常と判定され、ゲートドライバ切替信号ＳＷ_ＡはＨｉレベルを維持され、エラーフラグＡはＬｏレベルを維持される。
【００７７】
これにより、次フレームにおいて、再び、コントロール部７０から第１ゲートドライバ３０ａにＧＳＰ_Ａが入力され、上記と同様の処理が繰り返される。すなわち、図４では、第１ゲートドライバ３０ａに不具合が生じていないため、冗長回路としての第３ゲートドライバ４０ａへ切り替えられることはなく、第１ゲートドライバ３０ａによりゲートラインＧ１〜Ｇ２４０を駆動する処理が繰り返される。このとき、第３ゲートドライバ４０ａでは、入出力される各種信号はすべてＬｏレベルに維持されている（図示せず）。なお、報知部８０に入力されるエラーフラグＡ，Ｃは、ともにＬｏレベルであるため、例えば、第１および第３ゲートドライバ３０ａ，４０ａの動作状態を表示するＬＥＤランプ（第１Ｍａｉｎ）およびＬＥＤランプ（第１Ｓｕｂ）は、いずれも正常状態を示す「緑点灯」の状態となっている。
【００７８】
ここで、コントロール部７０では、ゲート出力判定部７１による上記判定処理を行うとともに、第２ゲートドライバ３０ｂへ動作指示を与える。具体的には、コントロール部７０は、第１ゲートドライバ３０ａへＧＳＰ_Ａを出力してから２４０ライン（２４０水平走査期間）後に、第２ゲートドライバ３０ｂへＧＳＰ_Ｂを出力する。これにより、第１ゲートドライバ３０ａが故障しているか否かに関わらず、第２ゲートドライバ３０ｂの駆動（走査）が開始する。すなわち、コントロール部７０から第２ゲートドライバ３０ｂにＧＳＰ_Ｂが入力されると、初段（１段目）のシフトレジスタＢ１（図３）がセットされる。この状態で、初段のシフトレジスタＢ１の端子ｃｋａにＨｉパルスが入力される（すなわち、ＧＣＫがＨｉレベルになる）ことにより、ゲート信号Ｇ２４１が出力される。ゲート信号Ｇ２４１は、次段（２段目）のシフトレジスタＢ２をセットし、このシフトレジスタＢ２の端子ｃｋａにＨｉパルスが入力される（すなわち、ＧＣＫＢがＨｉレベルになる）ことにより、ゲート信号Ｇ２４２が出力される。以降、順次、出力パルス（ゲート信号）がシフトしていき、最終段（４８０段目）までパルスが出力される。そして、４８０段目のゲート信号Ｇ４８０が最終行のゲートライン１２ａに出力されるとともに、ダミーライン１２ｘに対応するシフトレジスタＢ２４１に入力され、このシフトレジスタＢ２４１から、４８１行目のゲート信号Ｇ４８１（Ｇｏｕｔ_Ｂ）が出力され、コントロール部７０に入力される。
【００７９】
ここで、コントロール部７０のゲート出力判定部７１では、同様に、ゲート信号が正規（所定）のタイミングで出力されているか否かを判定する。具体的には、ゲート出力判定部７１は、４８１行目のゲート信号Ｇ４８１が、ＧＳＰ_Ｂが出力されてから２４１ライン（２４１水平走査期間）後に出力されているか、および、ゲート信号Ｇ４８１が、ＧＳＰ_Ｂが出力されてから２４１ライン後でないタイミングで出力されていないかを、検知パルスをトリガーとして１水平走査期間ごとに、４８１行目のダミーライン１２ｘをモニタリングして判定する。ゲート出力判定部７１が、４８１行目のゲート信号Ｇｏｕｔ_Ｂが正規のタイミングで出力されていないと判定した場合には、第２ゲートドライバ３０ｂの故障と判定し、コントロール部７０はゲートドライバ切替信号ＳＷ_ＢをＨｉレベルからＬｏレベルに切り替える（後述の図６の説明）。
【００８０】
図４では、４８１行目のゲート信号Ｇ４８１が、正規のタイミング（２４１ライン（２４１水平走査期間）後）で出力されているため（図４の丸囲み部分）、第２ゲートドライバ３０ｂは正常と判定され、ゲートドライバ切替信号ＳＷ_ＢはＨｉレベルを維持され、エラーフラグＢはＬｏレベルを維持される。
【００８１】
これにより、次フレームにおいて、再び、コントロール部７０から第２ゲートドライバ３０ｂにＧＳＰ_Ｂが入力され、上記と同様の処理が繰り返される。すなわち、図４では、第２ゲートドライバ３０ｂに不具合が生じていないため、冗長回路としての第４ゲートドライバ４０ｂへ切り替えられることはなく、第２ゲートドライバ３０ｂによりゲートラインＧ２４１〜Ｇ４８０を駆動する処理が繰り返される。このとき、第４ゲートドライバ４０ｂでは、入出力される各種信号はすべてＬｏレベルに維持されている（図示せず）。なお、報知部８０に入力されるエラーフラグＢ，Ｄは、ともにＬｏレベルであるため、例えば、第２および第４ゲートドライバ３０ｂ，４０ｂの動作状態を表示するＬＥＤランプ（第２Ｍａｉｎ）およびＬＥＤランプ（第２Ｓｕｂ）は、いずれも正常状態を示す「緑点灯」の状態となっている。
【００８２】
（液晶表示装置１の動作例２）
次に、液晶表示装置１を使用中に第１（メイン）ゲートドライバ３０ａが故障した場合について説明する。図５では、シフトレジスタＡ２３９（図３）が故障し（例えば、シフト動作が正常に行われない）、２３９段目のゲート信号Ｇ２３９が出力されず、２４０段目のゲート信号Ｇ２４０が正規のタイミングで出力されていない状態を示している（図５の丸囲み点線部分）。なお、説明の便宜上、上記故障は、第１フレームおいて生じたものとする。
【００８３】
この場合には、ゲート出力判定部７１に、２４０行目のゲート信号Ｇ２４０（Ｇｏｕｔ_Ａ）が正規のタイミング（ＧＳＰ_Ａが出力されてから２４０ライン（２４０水平走査期間）後）で入力されていないため、ゲート出力判定部７１は、第１ゲートドライバ３０ａの故障と判定する。この判定結果を受けてコントロール部７０は、ゲートドライバ切替信号ＳＷ_ＡをＨｉレベルからＬｏレベルに切り替えるとともに、ゲートドライバ切替信号ＳＷ_ＣをＬｏレベルからＨｉレベルに切り替える。これにより、第１切替スイッチ部５０ａがオフ状態となり、第１ゲートドライバ３０ａがアクティブ状態から非アクティブ状態に切り替わり、第１ゲートドライバ３０ａの動作が停止するとともに、第３切替スイッチ部６０ａがオン状態となり、第３ゲートドライバ４０ａが非アクティブ状態からアクティブ状態に切り替わる。これにより、次フレーム（第２フレーム）では、第３ゲートドライバ４０ａが、ゲートラインＧ１〜Ｇ２４０を駆動することになる。
【００８４】
また、ゲートドライバ切替信号ＳＷ_ＡがＨｉレベルからＬｏレベルに切り替わるタイミングに同期して、エラーフラグＡがＬｏレベルからＨｉレベルに切り替わる。これにより、報知部８０から、第１ゲートドライバ３０ａが故障したことを知らせるメッセージが外部に報知される。例えば、第１ゲートドライバ３０ａの状態を表示するＬＥＤランプ（第１Ｍａｉｎ）が、正常状態を示す「緑点灯」から、異常状態を示す「赤点灯」に切り替わる。これにより、ユーザは第１ゲートドライバ３０ａが故障したことを認識することができる。
【００８５】
一方、コントロール部７０では、上記判定処理および切替処理を行うとともに、第２ゲートドライバ３０ｂへＧＳＰ_Ｂを出力する。図５では、第２ゲートドライバ３０ｂに故障が生じていないため、図４に示した通常の動作が行われる。
【００８６】
続いて、コントロール部７０は、第２フレームの開始タイミングに同期して、ＧＳＰ_Ｃを第３ゲートドライバ４０ａへ出力する。コントロール部７０から第３ゲートドライバ４０ａにＧＳＰ_Ｃが入力されると、初段（１段目）のシフトレジスタＣ１（図３）がセットされる。この状態で、初段のシフトレジスタＣ１の端子ｃｋａにＨｉパルスが入力される（すなわち、ＧＣＫがＨｉレベルになる）ことにより、ゲート信号Ｇ１が出力される。ゲート信号Ｇ１は、次段（２段目）のシフトレジスタＣ２をセットし、このシフトレジスタＣ２の端子ｃｋａにＨｉパルスが入力される（すなわち、ＧＣＫＢがＨｉレベルになる）ことにより、ゲート信号Ｇ２が出力される。同様にして順次、出力パルス（ゲート信号）がシフトしていき、最終段（２４０段目）のシフトレジスタＣ２４０に入力される。そして、シフトレジスタＣ２４０から出力されたゲート信号Ｇ２４０が、最終段のゲートライン１２ａに入力されるとともに、コントロール部７０に入力される。
【００８７】
コントロール部７０のゲート出力判定部７１では、ゲート信号が正規（所定）のタイミングで出力されているか否かを判定する。具体的には、ゲート出力判定部７１は、２４０行目のゲート信号Ｇ２４０が、ＧＳＰ_Ｃが出力されてから２４０ライン（２４０水平走査期間）後に出力されているか、および、ゲート信号Ｇ２４０が、ＧＳＰ_Ｃが出力されてから２４０ライン後でないタイミングで出力されていないかを、検知パルスをトリガーとして１水平走査期間ごとに、２４０行目のゲートライン１２ａをモニタリングして判定する。ゲート出力判定部７１が、２４０行目のゲート信号Ｇｏｕｔ_Ｃが正規のタイミングで出力されていないと判定した場合には、第３ゲートドライバ４０ａの故障と判定し、コントロール部７０はゲートドライバ切替信号ＳＷ_ＣをＨｉレベルからＬｏレベルに切り替える（後述の図７の説明）。
【００８８】
図５では、２４０行目のゲート信号Ｇｏｕｔ_Ｃが、正規のタイミング（２４０ライン（２４０水平走査期間）後）で出力されているため、第３ゲートドライバ４０ａは正常と判定され、ゲートドライバ切替信号ＳＷ_ＣはＨｉレベルを維持され、エラーフラグＣはＬｏレベルを維持される。
【００８９】
これにより、次フレーム（第３フレーム）において、再び、コントロール部７０から第３ゲートドライバ４０ａにＧＳＰ_Ｃが入力され、上記と同様の処理が繰り返される。このとき、第１ゲートドライバ３０ａでは、入出力される各種信号（ＧＳＰ_Ａ，ＳＷ_Ａ）はＬｏレベルに維持されている。なお、報知部８０に入力されるエラーフラグＡはＨｉレベルとなり、エラーフラグＢおよびＣはＬｏレベルとなるため、例えば、第１ゲートドライバ３０ａの状態を表示するＬＥＤランプ（第１Ｍａｉｎ）が、異常状態を示す「赤点灯」、第２および第３ゲートドライバ３０ｂ・４０ａの動作状態を表示するＬＥＤランプ（第２Ｍａｉｎ，第１Ｓｕｂ）が正常状態を示す「緑点灯」の状態となる。
【００９０】
一方、コントロール部７０では、上記判定処理および切替処理を行うとともに、第２ゲートドライバ３０ｂへ動作指示を与える。具体的には、コントロール部７０は、第３ゲートドライバ４０ａへＧＳＰ_Ｃを出力してから２４０ライン（２４０水平走査期間）後に、第２ゲートドライバ３０ｂへＧＳＰ_Ｂを出力する。これにより、第２フレームでは、ゲートラインＧ２４１〜４８０は、第３ゲートドライバ４０ａが故障しているか否かに関わらず、前フレーム（第１フレーム）に引き続き、第２ゲートドライバ３０ｂにより駆動（走査）される。
【００９１】
このように、図５の構成では、第１フレームにおいて第１ゲートドライバ３０ａが故障した場合、ゲートラインＧ１〜Ｇ２４０については、第２フレーム以降は第３ゲートドライバ４０ａにより駆動される一方、ゲートラインＧ２４１〜Ｇ４８０については、第２ゲートドライバ３０ｂにより駆動される。なお、第１フレームにおいて第２ゲートドライバ３０ｂが故障した場合には、ゲートラインＧ１〜Ｇ２４０については、第１ゲートドライバ３０ａにより駆動される一方、ゲートラインＧ２４１〜Ｇ４８０については、第２フレーム以降は第４ゲートドライバ４０ｂにより駆動される。この状態を図６に示す。図６の動作内容は、図５と同様であるため、説明を省略する。
【００９２】
（液晶表示装置１の動作例３）
次に、図５の駆動（すなわち、第１（メイン）ゲートドライバ３０ａが停止し、第３（サブ）ゲートドライバ４０ａが駆動）をしている液晶表示装置１を使用中に、第３（サブ）ゲートドライバ４０ａが故障した場合について説明する。図７では、あるシフトレジスタＡ２３９（図３）が故障し（例えば、シフト動作が正常に行われない）、２３９段目のゲート信号Ｇ２３９が出力されず、２４０段目のゲート信号Ｇ２４０が正規のタイミングで出力されていない状態を示している（図７の丸囲み点線部分）。なお、説明の便宜上、上記故障は、第２フレームおいて生じたものとする。
【００９３】
この場合には、ゲート出力判定部７１に、２４０段目のゲート信号Ｇ２４０（Ｇｏｕｔ_Ｃ）が正規のタイミング（ＧＳＰ_Ｃが出力されてから２４０ライン（２４０水平走査期間）後）で入力されていないため、ゲート出力判定部７１は、第３ゲートドライバ４０ａの故障と判定する。この判定結果を受けてコントロール部７０は、ゲートドライバ切替信号ＳＷ_ＣをＨｉレベルからＬｏレベルに切り替える。これにより、第３切替スイッチ部６０ａがオフ状態となり、第３ゲートドライバ４０ａがアクティブ状態から非アクティブ状態に切り替わり、第３ゲートドライバ４０ａの動作が停止する。これにより、次フレーム（第３フレーム）では、第１および第３ゲートドライバ３０ａ・４０ａともに停止状態となるため、ゲートラインＧ１〜Ｇ２４０は不定状態になる。
【００９４】
また、ゲートドライバ切替信号ＳＷ_ＣがＨｉレベルからＬｏレベルに切り替えるタイミングに同期して、エラーフラグＣがＬｏレベルからＨｉレベルに切り替える。これにより、報知部８０から、第３ゲートドライバ４０ａが故障したことを知らせるメッセージが外部に報知される。例えば、第３ゲートドライバ４０ａの状態を表示するＬＥＤランプ（第１Ｓｕｂ）が、正常状態を示す「緑点灯」から、異常状態を示す「赤点灯」に切り替わる。これにより、ユーザは第３ゲートドライバ４０ａが故障したことを認識することができる。
【００９５】
一方、コントロール部７０では、上記判定処理および切替処理を行うとともに、第２ゲートドライバ３０ｂへＧＳＰ_Ｂを出力する。図７では、第２ゲートドライバ３０ｂに故障が生じていないため、図４に示した通常の動作が行われる。
【００９６】
続いて、第３フレームでは、コントロール部７０は、第３フレームの開始タイミングでＧＳＰ_Ｃの出力を行わず、２４０ライン（２４０水平走査期間）後にＧＳＰ_Ｂを出力する。このとき、コントロール部７０は、メモリ部７６に格納されているメッセージデータをソースドライバ２０に供給する。メッセージの内容としては、液晶表示装置１に故障が発生している旨をユーザに警告する内容であり、さらに、サービスセンターの連絡先等を含めてもよい。これらのメッセージは、予めメモリ部７６に登録されるものであり、また、必要に応じて追加や修正が可能となっている。
【００９７】
これにより、第３フレームでは、ゲートラインＧ１〜Ｇ２４０に相当する表示画面の上半分には何も表示されず、ゲートラインＧ２４１〜Ｇ４８０に相当する表示画面の下半分には、所望のメッセージ（警告）表示が行われる。
【００９８】
（液晶表示装置１の動作例４）
次に、図７の駆動（すなわち、第１（メイン）ゲートドライバ３０ａ、第２（メイン）ゲートドライバ３０ｂが停止し、第３（サブ）ゲートドライバ４０ａが駆動）をしている液晶表示装置１において、第３（サブ）ゲートドライバ４０ａおよび第４（サブ）ゲートドライバ４０ｂが故障した場合について説明する。図８では、あるシフトレジスタＤｎ（図示せず）が故障し（例えば、シフト動作が正常に行われない）、ｎ段目のゲート信号Ｇｎが出力されず、４８１段目のゲート信号Ｇ４８１（Ｇｏｕｔ_Ｄ）が正規のタイミングで出力されていない状態を示している（図８の丸囲み点線部分）。
【００９９】
この場合には、ゲート出力判定部７１に、４８１段目のゲート信号Ｇｏｕｔ_Ｄが正規のタイミング（ＧＳＰ_Ｄが出力されてから２４１ライン（２４１水平走査期間）後）で入力されていないため、ゲート出力判定部７１は、第４ゲートドライバ４０ｂの故障と判定する。この判定結果を受けてコントロール部７０は、ゲートドライバ切替信号ＳＷ_ＤをＨｉレベルからＬｏレベルに切り替える。これにより、第４切替スイッチ部６０ｂがオフ状態となり、第４ゲートドライバ４０ｂがアクティブ状態から非アクティブ状態に切り替わり、第４ゲートドライバ４０ｂの動作が停止する。これにより、次フレームでは、全てのゲートドライバが停止状態となるため、ゲートラインＧ１〜Ｇ４８０は不定状態になる。
【０１００】
また、ゲートドライバ切替信号ＳＷ_ＤがＨｉレベルからＬｏレベルに切り替えるタイミングに同期して、エラーフラグＤがＬｏレベルからＨｉレベルに切り替える。これにより、報知部８０から、第４ゲートドライバ４０ｂが故障したことを知らせるメッセージが外部に報知される。例えば、第４ゲートドライバ４０ｂの状態を表示するＬＥＤランプ（第２Ｓｕｂ）が、正常状態を示す「緑点灯」から、異常状態を示す「赤点灯」に切り替わる。これにより、全ＬＥＤランプが「赤点灯」となり、ユーザは全てのゲートドライバが故障したことを認識することができる。
【０１０１】
ところで、上述の各構成では、シフトレジスタのシフト動作の異常により最終段（２４０段または４８１段）のゲート信号Ｇｏｕｔが出力されない場合を示したが、他の不具合例としては、ゲート信号が不正なタイミングで出力される場合や、ゲート信号が正規のタイミングおよび不正なタイミング双方で出力される場合が挙げられる。例えば、図９は、ゲート信号Ｇ２４０（Ｇｏｕｔ_Ａ）が、不正なタイミングで出力される場合（図９の丸囲み部分）を示している。この点、本液晶表示装置１のゲート出力判定部７１によれば、ゲート信号Ｇｏｕｔ_Ａが、ＧＳＰ_Ａが出力されてから２４０ライン（２４０水平走査期間）後に出力されているか、および、ゲート信号Ｇｏｕｔ_Ａが、ＧＳＰ_Ａが出力されてから２４０ライン後でないタイミングで出力されていないか、の双方をチェックして正常／異常を判定しているため、ゲートドライバの故障を確実に検出することができる。
【０１０２】
また、検出精度を高めるために、検知パルスの周期を短くしてもよい。具体的には、１水平走査期間に１回のパルス（立ち上がり）（図４等）を２回あるいはそれ以上にしてもよい。これにより、例えば、パルス幅の短い異常パルスを検知することも可能となる。
【０１０３】
また、ゲート出力判定部７１は、ゲート信号の異常と判定した回数が連続して複数回に達した時点で、各ゲートドライバの故障と判定してもよい。具体的には、コントロール部７０が、ゲートドライバから出力されるゲート信号の出力タイミングが異常であるとゲート出力判定部７１によって判定された回数を計測するカウンタ部（計測手段）７３（図１）を備え、カウンタ部７３によるゲート信号の異常判定回数が所定回数（複数回数）に達したときに、ゲート出力判定部７１が、ゲートドライバが故障していると判定する構成とすることにより実現できる。
【０１０４】
また、上記の形態では、第２ゲートドライバ３０ｂおよび第４ゲートドライバ４０ｂについては、ゲートドライバからゲート出力判定部７１に入力される（戻される）異常検知の対象となるゲート信号Ｇｏｕｔ_Ｂ・Ｇｏｕｔ_Ｄを、表示に寄与する最終段のゲートライン１２ａの次段（４８１段目、ダミーライン１２ｘ）のゲート信号Ｇ４８１としているが、これに限定されるものではなく、最終段のゲート信号Ｇ４８０としてもよい。あるいは、各段のゲート信号Ｇｏｕｔを、順次、ゲート出力判定部７１に入力して、各段ごとにゲート信号Ｇｏｕｔが異常であるか否かを判定する構成としてもよい。
【０１０５】
また、上記の形態では、第２ゲートドライバ３０ｂおよび第４ゲートドライバ４０ｂについては、ゲート出力判定部７１は、ゲート信号Ｇ４８１が、ＧＳＰ_Ｂ（ＧＳＰ_Ｄ）が出力されてから２８１ライン（２８１水平走査期間）後に出力されているか、および、ゲート信号Ｇ４８１が、ＧＳＰ_Ｂ（ＧＳＰ_Ｄ）が出力されてから２８１ライン後でないタイミングで出力されていないかを判定する構成であるが、これに限定されるものではない。例えば、ＧＳＰ_Ｂ（ＧＳＰ_Ｄ）が出力されてからゲート信号Ｇ２４１が出力されるまでの期間が１水平走査期間ではない場合には、ゲート出力判定部７１は、ゲート信号Ｇ４８１が、ゲート信号Ｇ１が出力されてから（走査開始時点から）２４０ライン（２４０水平走査期間）後に出力されているか、および、ゲート信号Ｇ４８１が、ゲート信号Ｇ１が出力されてから（走査開始時点から）２８０ライン後でないタイミングで出力されていないかを判定する構成とすることが好ましい。
【０１０６】
（液晶表示装置１の動作フロー１）
ここで、液晶表示装置１の上記動作例に対応するフローチャートを図１０に示す。図１０は、第１ゲートドライバ３０ａおよび第３ゲートドライバ４０ａの異常を検知する動作フローを示し、図１１は、第２ゲートドライバ３０ｂおよび第４ゲートドライバ４０ｂの故障を検知する動作フローを示している。
【０１０７】
図１０に示すように、まず、ステップＳ１において、コントロール部７０は、ゲートスタートパルスＧＳＰ_Ａ、及びクロックＧＣＫ・ＧＣＫＢ・ＣＬＲを出力する。出力波形は図４に示したとおりである。またステップＳ１では、ゲートドライバ切替信号ＳＷ_ＡのＨｉレベル、ゲートドライバ切替信号ＳＷ_ＣのＬｏレベルを出力する。このとき、ゲートスタートパルスＧＳＰ_Ｃ、エラーフラグＡ・ＣについてはＬｏレベルを出力する。
【０１０８】
次に、ステップＳ２において、ゲート出力判定部７１が、正規の位置（タイミング）でゲート信号Ｇｏｕｔ_Ａが出力されているか、および、正規の位置ではない位置でゲート信号Ｇｏｕｔ_Ａが出力されていないかを判定する（判定ステップ）。
【０１０９】
ステップＳ２においてＹＥＳの場合、すなわち、ゲート信号Ｇｏｕｔ_Ａが、正規の位置（タイミング）で出力され、かつ、正規の位置ではない位置で出力されていない場合には、第１ゲートドライバ３０ａは正常であると判定し、ステップＳ１に戻り、第１ゲートドライバ３０ａにおいて通常の動作が繰り返される。
【０１１０】
一方、ステップＳ２においてＮＯの場合、すなわち、ゲート信号Ｇｏｕｔ_Ａが、正規の位置（タイミング）で出力されていない場合、または、正規の位置ではない位置で出力されている場合、あるいは、正規の位置で出力されているにもかかわらず他の位置でも出力されている場合には、第１ゲートドライバ３０ａが故障していると判定し、次のステップＳ３に移行する。
【０１１１】
ステップＳ３では、ゲート出力判定部７１の判定結果（第１ゲートドライバ３０ａの故障）に基づいて、コントロール部７０が、ゲートドライバ切替信号ＳＷ_ＡをＬｏレベルに切り替え、ゲートドライバ切替信号ＳＷ_ＣをＨｉレベルに切り替える。また、ゲートスタートパルスＧＳＰ_ＡをＬｏレベルに、ゲートスタートパルスＧＳＰ_Ｃを出力モードに切り替える（図５参照）。
【０１１２】
さらに、エラーフラグＡをＨｉレベルに切り替える。エラーフラグＣについては、Ｌｏレベルを維持する。これにより、第１ゲートドライバ３０ａが停止し、第３ゲートドライバ４０ａが駆動を開始する。同時に、第１ゲートドライバ３０ａの故障が外部に報知される。
【０１１３】
次に、ステップＳ４では、ステップＳ２の処理と同様、第３ゲートドライバ４０ａにおいて、ゲート出力判定部７１が、ゲート信号Ｇｏｕｔ_Ｃの出力タイミングをモニタリングして、第３ゲートドライバ４０ａの状態を判定する。
【０１１４】
ステップＳ４においてＹＥＳの場合、すなわち、ゲート信号Ｇｏｕｔ_Ｃが、正規の位置（タイミング）で出力され、かつ、正規の位置ではない位置で出力されていない場合には、第３ゲートドライバ４０ａは正常であると判定し、ステップＳ３に戻り、第３ゲートドライバ４０ａによる通常の動作が繰り返される。
【０１１５】
一方、ステップＳ４においてＮＯの場合、すなわち、ゲート信号Ｇｏｕｔ_Ｃが、正規の位置（タイミング）で出力されていない場合、または、正規の位置ではない位置で出力されている場合、あるいは、正規の位置で出力されているにもかかわらず他の位置でも出力されている場合には、第３ゲートドライバ４０ａが故障していると判定し、次のステップＳ５に移行する。
【０１１６】
ステップＳ５では、ゲート出力判定部７１の判定結果（第３ゲートドライバ４０ａの故障）に基づいて、コントロール部７０が、ゲートドライバ切替信号ＳＷ_ＣをＬｏレベルに切り替える。また、ゲートスタートパルスＧＳＰ_ＣをＬｏレベルに切り替える。さらに、エラーフラグＣをＨｉレベルに切り替える。これにより、第１ゲートドライバ３０ａに加えて、第３ゲートドライバ４０ａの動作も停止する。そして、第１および第３ゲートドライバ３０ａ・４０ａの故障が外部に報知される。また、この場合には、表示画面の上半分には警告表示（図７参照）が行われる。
【０１１７】
次に、ステップＳ６では、エラーフラグＢ・Ｄの何れもがＯＮ（Ｈｉレベル）であるか否かを判定する。ステップＳ６においてＹＥＳの場合、すなわち、エラーフラグＢ・Ｄの何れもがＨｉレベルである場合には、第１〜第４ゲートドライバ３０ａ・３０ｂ・４０ａ・４０ｂの全てが故障していると判定し、液晶表示装置１の機能を停止する（ステップＳ７）（図８参照）。
【０１１８】
一方、ステップＳ６においてＮＯの場合、すなわち、エラーフラグＢ・Ｄの少なくとも何れか一方がＬｏレベルである場合には、第２・第４ゲートドライバ３０ｂ・４０ｂの少なくとも何れか一方は正常であると判定し、ステップＳ５に戻り、上記警告表示が繰り返される（図７参照）。
【０１１９】
（液晶表示装置１の動作フロー２）
上述の動作例における各処理内容は、第２ゲートドライバ３０ｂおよび第４ゲートドライバ４０ｂの故障を検知する動作例（図１１）についても同様である。
【０１２０】
図１１に示すように、まず、ステップＳ１１において、コントロール部７０は、ゲートスタートパルスＧＳＰ_Ｂ、及びクロックＧＣＫ・ＧＣＫＢ・ＣＬＲを出力する。出力波形は図４に示したとおりである。またステップＳ１１では、ゲートドライバ切替信号ＳＷ_ＢのＨｉレベル、ゲートドライバ切替信号ＳＷ_ＤのＬｏレベルを出力する。このとき、ゲートスタートパルスＧＳＰ_Ｄ、エラーフラグＢ・ＤについてはＬｏレベルを出力する。
【０１２１】
次に、ステップＳ１２において、ゲート出力判定部７１が、正規の位置（タイミング）でゲート信号Ｇｏｕｔ_Ｂが出力されているか、および、正規の位置ではない位置でゲート信号Ｇｏｕｔ_Ｂが出力されていないかを判定する。
【０１２２】
ステップＳ１２においてＹＥＳの場合、すなわち、ゲート信号Ｇｏｕｔ_Ｂが、正規の位置（タイミング）で出力され、かつ、正規の位置ではない位置で出力されていない場合には、第２ゲートドライバ３０ｂは正常であると判定し、ステップＳ１１に戻り、第２ゲートドライバ３０ｂにおいて通常の動作が繰り返される。
【０１２３】
一方、ステップＳ１２においてＮＯの場合、すなわち、ゲート信号Ｇｏｕｔ_Ｂが、正規の位置（タイミング）で出力されていない場合、または、正規の位置ではない位置で出力されている場合、あるいは、正規の位置で出力されているにもかかわらず他の位置でも出力されている場合には、第２ゲートドライバ３０ｂが故障していると判定し、次のステップＳ１３に移行する。
【０１２４】
ステップＳ１３では、ゲート出力判定部７１の判定結果（第２ゲートドライバ３０ｂの故障）に基づいて、コントロール部７０が、ゲートドライバ切替信号ＳＷ_ＢをＬｏレベルに切り替え、ゲートドライバ切替信号ＳＷ_ＤをＨｉレベルに切り替える。また、ゲートスタートパルスＧＳＰ_ＢをＬｏレベルに、ゲートスタートパルスＧＳＰ_Ｄを出力モードに切り替える（図６参照）。
【０１２５】
さらに、エラーフラグＢをＨｉレベルに切り替える。エラーフラグＤについては、Ｌｏレベルを維持する。これにより、第２ゲートドライバ３０ｂが停止し、第４ゲートドライバ４０ｂが駆動を開始する。同時に、第２ゲートドライバ３０ｂの故障が外部に報知される。
【０１２６】
次に、ステップＳ１４では、ステップＳ１２の処理と同様、第４ゲートドライバ４０ｂにおいて、ゲート出力判定部７１が、ゲート信号Ｇｏｕｔ_Ｄの出力タイミングをモニタリングして、第４ゲートドライバ４０ｂの状態を判定する。
【０１２７】
ステップＳ１４においてＹＥＳの場合、すなわち、ゲート信号Ｇｏｕｔ_Ｄが、正規の位置（タイミング）で出力され、かつ、正規の位置ではない位置で出力されていない場合には、第４ゲートドライバ４０ｂは正常であると判定し、ステップＳ１３に戻り、第４ゲートドライバ４０ｂによる通常の動作が繰り返される。
【０１２８】
一方、ステップＳ１４においてＮＯの場合、すなわち、ゲート信号Ｇｏｕｔ_Ｄが、正規の位置（タイミング）で出力されていない場合、または、正規の位置ではない位置で出力されている場合、あるいは、正規の位置で出力されているにもかかわらず他の位置でも出力されている場合には、第４ゲートドライバ４０ｂが故障していると判定し、次のステップＳ１５に移行する。
【０１２９】
ステップＳ１５では、ゲート出力判定部７１の判定結果（第４ゲートドライバ４０ｂの故障）に基づいて、コントロール部７０が、ゲートドライバ切替信号ＳＷ_ＤをＬｏレベルに切り替える。また、ゲートスタートパルスＧＳＰ_ＤをＬｏレベルに切り替える。さらに、エラーフラグＤをＨｉレベルに切り替える。これにより、第２ゲートドライバ３０ｂに加えて、第４ゲートドライバ４０ｂの動作も停止する。そして、第２および第４ゲートドライバ３０ｂ・４０ｂの故障が外部に報知される。また、この場合には、表示画面の下半分には警告表示が行われる。
【０１３０】
次に、ステップＳ１６では、エラーフラグＡ・Ｃの何れもがＯＮ（Ｈｉレベル）であるか否かを判定する。ステップＳ１６においてＹＥＳの場合、すなわち、エラーフラグＡ・Ｃの何れもがＨｉレベルである場合には、第１〜第４ゲートドライバ３０ａ・３０ｂ・４０ａ・４０ｂの全てが故障していると判定し、液晶表示装置１の機能を停止する（ステップＳ１７）（図８参照）。
【０１３１】
一方、ステップＳ１６においてＮＯの場合、すなわち、エラーフラグＡ・Ｃの少なくとも何れか一方がＬｏレベルである場合には、第２・第４ゲートドライバ３０ｂ・４０ｂの少なくとも何れか一方は正常であると判定し、ステップＳ１５に戻り、上記警告表示が繰り返される。
【０１３２】
以上のように、本実施の形態に係る液晶表示装置１では、全ゲートラインが複数の組（図１および図３では、２組：ゲートライン１２ａ（Ｇ１〜Ｇ２４０）とゲートライン１２ｂ（Ｇ２４１〜Ｇ４８０））に分割され、各組に対応してゲートドライバ（ゲートドライバ３０ａ・３０ｂ）が個別に設けられている。これにより、何れかのゲートドライバ（例えば、ゲートドライバ３０ａ）が故障した場合でも、正常なゲートドライバ（例えば、ゲートドライバ３０ｂ）により、対応するゲートライン（例えば、ゲートライン１２ｂ（Ｇ２４１〜Ｇ４８０））を駆動することができるため、表示機能が突然停止することがない。よって、ユーザによる使用中に表示画面に何も表示されなくなるという不具合を回避することができる。また、一方のゲートドライバが故障した場合には、他方のゲートドライバの動作により、故障した旨のメッセージが表示画面の一部に表示されるため、ユーザは故障（表示不良）の原因等を認識することができる。
【０１３３】
このような効果を得るためには、本液晶表示装置は、図１２に示すように、上記分割された組ごとに少なくとも１つのゲートドライバを備えていればよい。
【０１３４】
加えて、図１に示す液晶表示装置では、上記分割された組ごとに２つのゲートドライバを備えているため、例えば、第１（メイン）ゲートドライバ３０ａが故障した場合には、自動的に第３（サブ）ゲートドライバ４０ａ（冗長回路）に切り替わるため、表示機能を停止させることなく動作を続行させることができる。よって、製造時においては冗長回路に切り替える手間を省くことができるとともに、ユーザ使用時においては製品寿命を延ばすことができる。
【０１３５】
また、一方のドライバが動作中に他方のドライバに関わる信号をＬｏレベルに設定しておくことにより、他方のドライバにおけるＶｔｈのシフトを抑えることができるという効果を得られる。
【０１３６】
ところで、上記液晶表示装置１の構成では、上述したように、表示画面の上半分および下半分の何れかが表示不能となった場合、すなわち、例えば、第１ゲートドライバ３０ａおよび第３ゲートドライバ４０ａが故障して、表示画面の上半分が表示不能となった場合（図７参照）、表示可能領域である表示画面の下半分では警告表示が行われる。しかし、この場合、表示不能領域（ここでは、表示画面の上半分）では、不定状態となるためノイズが発生するという問題がある。そこで、このノイズの発生を回避するために、上記液晶表示装置を図１３に示す構成としてもよい。
【０１３７】
図１３に示す液晶表示装置１′では、図１の液晶表示装置１において、コントロール部７０から各ゲートドライバに固定信号ＥＲＲを入力する。以下では、図１の液晶表示装置１との相違点を中心に説明する。
【０１３８】
図１４は、図１３の液晶表示装置１′におけるゲートドライバの構成を示すブロック図である。ゲートドライバ３０ａを構成する各シフトレジスタＡ１・Ａ２・…に、コントロール回路７０から固定信号ＥＲＲ_Ｈ１・ＥＲＲ_Ｌ１が同時に入力され、ゲートドライバ３０ｂを構成する各シフトレジスタＢ１・Ｂ２・…に、コントロール回路７０から固定信号ＥＲＲ_Ｈ２・ＥＲＲ_Ｌ２が同時に入力され、ゲートドライバ４０ａを構成する各シフトレジスタＣ１・Ｃ２・…に、コントロール回路７０から固定信号ＥＲＲ_Ｈ１・ＥＲＲ_Ｌ１が同時に入力され、ゲートドライバ４０ｂを構成する各シフトレジスタＤ１・Ｄ２・…に、コントロール回路７０から固定信号ＥＲＲ_Ｈ２・ＥＲＲ_Ｌ２が同時に入力される。
【０１３９】
図１５は、上記シフトレジスタの構成を示す回路図である。上記シフトレジスタは、図３１のシフトレジスタの構成において、さらに、トランジスタＯおよびトランジスタＰが設けられている。トランジスタＯは、その導通電極の一端が出力Ｇｏｕｔに接続され、他端が固定信号ＥＲＲ_Ｈの入力に接続され、その入力が制御電極に接続されている。トランジスタＰは、その導通電極の一端が出力Ｇｏｕｔに接続され、他端がＶＳＳに接続され、制御電極が固定信号ＥＲＲ_Ｌの入力に接続されている。これにより、シフトレジスタに固定信号ＥＲＲ_Ｈ（Ｈｉレベル）が入力されると、シフトレジスタからＨｉレベルの信号が出力され、シフトレジスタに固定信号ＥＲＲ_Ｌ（Ｈｉレベル）が入力されると、シフトレジスタからＶＳＳレベルの信号が出力される。
【０１４０】
上記の液晶表示装置１′では、第１（メイン）ゲートドライバ３０ａおよび第２（メイン）ゲートドライバ３０ｂが正常に動作している場合には、図４に示す動作と同様であるため、ここでは説明を省略する。なお、この場合には、固定信号ＥＲＲ_Ｈ・ＥＲＲ_Ｌは何れもＬｏレベルとなっている。図１６は、第１（メイン）ゲートドライバ３０ａが停止し、第３（サブ）ゲートドライバ４０ａが駆動をしている液晶表示装置１′を使用中に、第３（サブ）ゲートドライバ４０ａが故障した場合の各種信号を示すタイミングチャートである。
【０１４１】
図１６では、あるシフトレジスタＣ２３９（図１４）が故障し（例えば、シフト動作が正常に行われない）、２３９段目のゲート信号Ｇ２３９が出力されず、２４０段目のゲート信号Ｇ２４０が正規のタイミングで出力されていない状態を示している（図１６の丸囲み点線部分）。なお、説明の便宜上、上記故障は、第２フレームおいて生じたものとする。
【０１４２】
この場合には、ゲート出力判定部７１に、２４０行目のゲート信号Ｇ２４０（Ｇｏｕｔ_Ｃ）が正規のタイミング（ＧＳＰ_Ｃが出力されてから２４０ライン（２４０水平走査期間）後）で入力されていないため、ゲート出力判定部７１は、第３ゲートドライバ４０ａの故障と判定する。この判定結果を受けてコントロール部７０は、ゲートドライバ切替信号ＳＷ_ＣをＨｉレベルからＬｏレベルに切り替える。これにより、第３切替スイッチ部６０ａがオフ状態となり、第３ゲートドライバ４０ａがアクティブ状態から非アクティブ状態に切り替わり、第３ゲートドライバ４０ａの動作が停止する。これにより、次フレーム（第３フレーム）では、第１および第３ゲートドライバ３０ａ・４０ａともに停止状態となるため、ゲートラインＧ１〜Ｇ２４０は不定状態になる。
【０１４３】
また、ゲートドライバ切替信号ＳＷ_ＣがＨｉレベルからＬｏレベルに切り替わるタイミングに同期して、エラーフラグＣがＬｏレベルからＨｉレベルに切り替わる。これにより、報知部８０から、第３ゲートドライバ４０ａが故障したことを知らせるメッセージが外部に報知される。例えば、第３ゲートドライバ４０ａの状態を表示するＬＥＤランプ（第１Ｓｕｂ）が、正常状態を示す「緑点灯」から、異常状態を示す「赤点灯」に切り替わる。これにより、ユーザは第３ゲートドライバ４０ａが故障したことを認識することができる。
【０１４４】
一方、コントロール部７０では、上記判定処理および切替処理を行うとともに、第２ゲートドライバ３０ｂへＧＳＰ_Ｂを出力する。図１６では、第２ゲートドライバ３０ｂに故障が生じていないため、通常の動作が行われる。
【０１４５】
続いて、第３フレームでは、コントロール部７０は、第３フレームの開始タイミングで、ゲートドライバ切替信号ＳＷ_Ａ（またはゲートドライバ切替信号ＳＷ_Ｃ）をＬｏレベルからＨｉレベルに切り替え、固定信号ＥＲＲ_Ｈ１を出力する（ＬｏレベルからＨｉレベルに切り替える）。これにより、各シフトレジスタＡ１〜Ａ２４０（またはＣ１〜Ｃ２４０）からＨｉレベルの信号が出力され、各ゲートラインＧ１〜Ｇ２４０がアクティブ状態になる。その後、ゲートスタートパルスＧＳＰ_Ｂに基づいて、固定信号ＥＲＲ_Ｈ１がＬｏレベルに切り替わるとともに、固定信号ＥＲＲ_Ｌ１がＨｉレベルに切り替わる。ここで、各ゲートラインＧ１〜Ｇ２４０がアクティブ状態の間、コントロール部７０は、メモリ部７６に格納されている黒表示データをソースドライバ２０に供給することにより、当該フレームにおける表示画面の上半分が黒表示になる。
【０１４６】
なお、表示画面の下半分では、図７に示したように、コントロール部７０は、メモリ部７６に格納されているメッセージデータをソースドライバ２０に供給することにより、所望のメッセージ（警告）表示が行われる。
【０１４７】
ここで、第１（メイン）ゲートドライバ３０ａ、第２（メイン）ゲートドライバ３０ｂ、第３（サブ）ゲートドライバ４０ａが停止し、第４（サブ）ゲートドライバ４０ｂのみが駆動している液晶表示装置１′において、第４（サブ）ゲートドライバ４０ｂが故障した場合について説明する。図１７では、あるシフトレジスタＤｎ（図示せず）が故障し（例えば、シフト動作が正常に行われない）、ｎ段目のゲート信号Ｇｎが出力されず、４８１段目のゲート信号Ｇ４８１（Ｇｏｕｔ_Ｄ）が正規のタイミングで出力されていない状態を示している（図１７の丸囲み点線部分）。
【０１４８】
この場合には、ゲート出力判定部７１に、４８１行目のゲート信号Ｇ４８１（Ｇｏｕｔ_Ｄ）が正規のタイミング（ＧＳＰ_Ｄが出力されてから２４１ライン（２４１水平走査期間）後）で入力されていないため、ゲート出力判定部７１は、第４ゲートドライバ４０ｂの故障と判定する。この判定結果を受けてコントロール部７０は、ゲートドライバ切替信号ＳＷ_ＤをＨｉレベルからＬｏレベルに切り替える。これにより、第４切替スイッチ部６０ｂがオフ状態となり、第４ゲートドライバ４０ｂがアクティブ状態から非アクティブ状態に切り替わり、第４ゲートドライバ４０ｂの動作が停止する。これにより、次フレーム（第３フレーム）では、第２および第４ゲートドライバ３０ｂ・４０ｂともに停止状態となるため、ゲートラインＧ２４１〜Ｇ４８１は不定状態になる。
【０１４９】
また、ゲートドライバ切替信号ＳＷ_ＤがＨｉレベルからＬｏレベルに切り替わるタイミングに同期して、エラーフラグＤがＬｏレベルからＨｉレベルに切り替わる。これにより、報知部８０から、第４ゲートドライバ４０ｂが故障したことを知らせるメッセージが外部に報知される。例えば、第４ゲートドライバ４０ｂの状態を表示するＬＥＤランプ（第２Ｓｕｂ）が、正常状態を示す「緑点灯」から、異常状態を示す「赤点灯」に切り替わる。これにより、ユーザは第４ゲートドライバ４０ｂが故障したことを認識することができる。
【０１５０】
続いて、第３フレームでは、コントロール部７０は、第３フレームの開始タイミングで、ゲートドライバ切替信号ＳＷ_Ｂ（またはゲートドライバ切替信号ＳＷ_Ｄ）をＬｏレベルからＨｉレベルに切り替え、固定信号ＥＲＲ_Ｈ２を出力する（ＬｏレベルからＨｉレベルに切り替える）。これにより、各シフトレジスタＢ１〜Ｂ２４１（またはＤ１〜Ｄ２４１）からＨｉレベルの信号が出力され、各ゲートラインＧ２４１〜Ｇ４８１がアクティブ状態になる。なお、各ゲートラインＧ１〜Ｇ２４０は既にアクティブ状態となっている。これにより、以降のフレームでは、コントロール部７０がメモリ部７６に格納されている黒表示データをソースドライバ２０に供給することにより、表示画面の全体が黒表示になる。
【０１５１】
（液晶表示装置１′の動作フロー１）
次に、液晶表示装置１′の上記動作例に対応するフローチャートを図１８に示す。図１８は、第１ゲートドライバ３０ａおよび第３ゲートドライバ４０ａの異常を検知する動作フローを示し、図１９は、第２ゲートドライバ３０ｂおよび第４ゲートドライバ４０ｂの故障を検知する動作フローを示している。
【０１５２】
図１８に示すように、まず、ステップＳ２１において、コントロール部７０は、ゲートスタートパルスＧＳＰ_Ａ、及びクロックＧＣＫ・ＧＣＫＢ・ＣＬＲを出力する。出力波形は図１６等に示したとおりである。またステップＳ２１では、ゲートドライバ切替信号ＳＷ_ＡのＨｉレベル、ゲートドライバ切替信号ＳＷ_ＣのＬｏレベルを出力する。このとき、ゲートスタートパルスＧＳＰ_Ｃ、エラーフラグＡ・Ｃ、固定信号ＥＲＲ_Ｈ１・ＥＲＲ_ＬについてはＬｏレベルを出力する。以降、ステップＳ２４の処理までは、図１０に示したステップＳ１〜Ｓ４の処理と同一であるため説明を省略する。
【０１５３】
ステップＳ２４では、第３ゲートドライバ４０ａにおいて、ゲート出力判定部７１が、ゲート信号Ｇｏｕｔ_Ｃの出力タイミングをモニタリングして、第３ゲートドライバ４０ａの状態を判定する。
【０１５４】
ステップＳ２４においてＹＥＳの場合、すなわち、ゲート信号Ｇｏｕｔ_Ｃが、正規の位置（タイミング）で出力され、かつ、正規の位置ではない位置で出力されていない場合には、第３ゲートドライバ４０ａは正常であると判定し、ステップＳ２３に戻り、第３ゲートドライバ４０ａによる通常の動作が繰り返される。
【０１５５】
一方、ステップＳ２４においてＮＯの場合、すなわち、ゲート信号Ｇｏｕｔ_Ｃが、正規の位置（タイミング）で出力されていない場合、または、正規の位置ではない位置で出力されている場合、あるいは、正規の位置で出力されているにもかかわらず他の位置でも出力されている場合には、第３ゲートドライバ４０ａが故障していると判定し、次のステップＳ２５に移行する。
【０１５６】
ステップＳ２５では、ゲート出力判定部７１の判定結果（第３ゲートドライバ４０ａの故障）に基づいて、コントロール部７０が、ゲートドライバ切替信号ＳＷ_ＣをＬｏレベルに切り替える。また、ゲートスタートパルスＧＳＰ_ＣをＬｏレベルに切り替える。さらに、エラーフラグＣをＨｉレベルに切り替える。これにより、第１ゲートドライバ３０ａに加えて、第３ゲートドライバ４０ａの動作も停止する。そして、第１および第３ゲートドライバ３０ａ・４０ａの故障が外部に報知される。その後、次フレームの開始タイミングでゲートドライバ切替信号ＳＷ_Ａ（またはＳＷ_Ｃ）を再びＨｉレベルに切り替えるとともに、ＥＲＲ_Ｈ１をＬｏレベルからＨｉレベルに切り替える。これにより、表示画面の上半分では警告表示が行われる一方、表示画面の下半分では黒が表示される（図１６参照）。なお、ゲートラインＧ２４１〜Ｇ４８１の選択期間では、ＥＲＲ_Ｈ１をＬｏレベルに切り替えるとともにＥＲＲ_Ｌ１をＨｉレベルに切り替えることにより、対応するシフトレジスタを交流制御することが好ましい。
【０１５７】
次に、ステップＳ２６では、エラーフラグＢ・Ｄの何れもがＨｉレベルであるか否かを判定する。ステップＳ２６においてＹＥＳの場合、すなわち、エラーフラグＢ・Ｄの何れもがＨｉレベルである場合には、第１〜第４ゲートドライバ３０ａ・３０ｂ・４０ａ・４０ｂの全てが故障していると判定し、液晶表示装置の機能を停止する（ステップＳ２７）。また、ゲートドライバ切替信号ＳＷ_Ａ（またはＳＷ_Ｃ）、および、ＳＷ_Ｂ（またはＳＷ_Ｄ）をＨｉレベルに切り替えるとともに、固定信号ＥＲＲ_Ｈ１・ＥＲＲ_Ｈ２のＨｉレベルを出力し、全てのゲート出力をＨｉレベルにする。もしくは、固定信号ＥＲＲ_Ｌ１・ＥＲＲ_Ｌ２のＨｉレベルを出力し、全てのゲート出力をＬｏレベルにする。
【０１５８】
一方、ステップＳ２６においてＮＯの場合、すなわち、エラーフラグＢ・Ｄの少なくとも何れか一方がＬｏレベルである場合には、第２・第４ゲートドライバ３０ｂ・４０ｂの少なくとも何れか一方は正常であると判定し、ステップＳ２５に戻り、上記警告表示が繰り返される。
【０１５９】
（液晶表示装置１′の動作フロー２）
上述の動作例における各処理内容は、第２ゲートドライバ３０ｂおよび第４ゲートドライバ４０ｂの故障を検知する動作例（図１９）についても同様である。図１９のステップＳ３１〜Ｓ３４までの処理は、図１１に示したステップＳ１１〜Ｓ１４処理と同一であるため説明を省略する。
【０１６０】
ステップＳ３４では、第４ゲートドライバ４０ｂにおいて、ゲート出力判定部７１が、ゲート信号Ｇｏｕｔ_Ｄの出力タイミングをモニタリングして、第４ゲートドライバ４０ｂの状態を判定する。
【０１６１】
ステップＳ３４においてＹＥＳの場合、すなわち、ゲート信号Ｇｏｕｔ_Ｄが、正規の位置（タイミング）で出力され、かつ、正規の位置ではない位置で出力されていない場合には、第４ゲートドライバ４０ｂは正常であると判定し、ステップＳ３３に戻り、第４ゲートドライバ４０ｂによる通常の動作が繰り返される。
【０１６２】
一方、ステップＳ３４においてＮＯの場合、すなわち、ゲート信号Ｇｏｕｔ_Ｄが、正規の位置（タイミング）で出力されていない場合、または、正規の位置ではない位置で出力されている場合、あるいは、正規の位置で出力されているにもかかわらず他の位置でも出力されている場合には、第４ゲートドライバ４０ｂが故障していると判定し、次のステップＳ３５に移行する。
【０１６３】
ステップＳ３５では、ゲート出力判定部７１の判定結果（第４ゲートドライバ４０ｂの故障）に基づいて、コントロール部７０が、ゲートドライバ切替信号ＳＷ_ＤをＬｏレベルに切り替える。また、ゲートスタートパルスＧＳＰ_ＤをＬｏレベルに切り替える。さらに、エラーフラグＤをＨｉレベルに切り替える。これにより、第２ゲートドライバ３０ｂに加えて、第４ゲートドライバ４０ｂの動作も停止する。そして、第２および第４ゲートドライバ３０ｂ・４０ｂの故障が外部に報知される。その後、次フレームの開始タイミングでゲートドライバ切替信号ＳＷ_Ｂ（またはＳＷ_Ｄ）を再びＨｉレベルに切り替えるとともに、ＥＲＲ_Ｈ２をＬｏレベルからＨｉレベルに切り替える。これにより、表示画面の下半分では警告表示が行われる一方、表示画面の上半分では黒が表示される。なお、ゲートラインＧ１〜Ｇ２４０の選択期間では、ＥＲＲ_Ｈ２をＬｏレベルに切り替えるとともにＥＲＲ_Ｌ２をＨｉレベルに切り替えることにより、対応するシフトレジスタを交流制御することが好ましい。
【０１６４】
次に、ステップＳ３６では、エラーフラグＡ・Ｃの何れもがＨｉレベルであるか否かを判定する。ステップＳ３６においてＹＥＳの場合、すなわち、エラーフラグＡ・Ｃの何れもがＨｉレベルである場合には、第１〜第４ゲートドライバ３０ａ・３０ｂ・４０ａ・４０ｂの全てが故障していると判定し、液晶表示装置の機能を停止する（ステップＳ３７）。また、ゲートドライバ切替信号ＳＷ_Ａ（またはＳＷ_Ｃ）、および、ＳＷ_Ｂ（またはＳＷ_Ｄ）をＨｉレベルに切り替えるとともに、固定信号ＥＲＲ_Ｈ１・ＥＲＲ_Ｈ２のＨｉレベルを出力し、全てのゲート出力をＨｉレベルにする。もしくは、固定信号ＥＲＲ_Ｌ１・ＥＲＲ_Ｌ２のＨｉレベルを出力し、全てのゲート出力をＬｏレベルにする。
【０１６５】
一方、ステップＳ３６においてＮＯの場合、すなわち、エラーフラグＡ・Ｃの少なくとも何れか一方がＬｏレベルである場合には、第１・第３ゲートドライバ３０ａ・４０ａの少なくとも何れか一方は正常であると判定し、ステップＳ３５に戻り、上記警告表示が繰り返される。
【０１６６】
以上のように、図１３の液晶表示装置１′によれば、第１および第３ゲートドライバ３０ａ・４０ａが故障した場合、または、第２および第４ゲートドライバ３０ｂ・４０ｂが故障した場合に、ゲートラインＧ１〜Ｇ２４０またはゲートラインＧ２４１〜Ｇ４８１が不定状態となることがないため、表示画面におけるノイズの発生を抑えることができる。なお、本液晶表示装置１′では、第１および第３ゲートドライバ３０ａ・４０ａに同一の固定信号ＥＲＲ_Ｈ１／Ｌ１が入力される構成であるため、両ドライバが故障したときには、第１切替スイッチ部５０ａおよび第３切替スイッチ部６０ａの何れをオン状態としてもよい。同様に、第２および第４ゲートドライバ３０ｂ・４０ｂに同一の固定信号ＥＲＲ_Ｈ２／Ｌ２が入力される構成であるため、両ドライバが故障したときには、第２切替スイッチ部５０ｂおよび第４切替スイッチ部６０ｂの何れをオン状態としてもよい。
【０１６７】
ところで、本実施の形態では、ゲートドライバを切り替える形態について説明したが、本発明は、これに限定されるものではなく、複数本のソースラインで構成される組ごとにソースドライバを設ける構成にも適用することができる。以下に示す実施の形態２では、複数のゲートドライバおよび複数のソースドライバを備える液晶表示装置について説明する。
【０１６８】
〔実施の形態２〕
本発明の液晶表示装置は、実施の形態１で示したモノリシック回路に限定されるものではなく、ゲートチップドライバおよびソースチップドライバにより構成される液晶表示装置であってもよい。本実施の形態２では、この液晶表示装置について、図２０から図３２に基づいて説明する。なお、説明の便宜上、実施の形態１において示した部材と同一の機能を有する部材には、同一の符号を付し、その説明を省略する。また、実施の形態１において定義した用語については、特に断らない限り本実施の形態においてもその定義に則って用いるものとする。
【０１６９】
図２０は液晶表示装置２の全体構成を示すブロック図である。液晶表示装置２は、アクティブマトリクス型の液晶表示パネル１０、第１ソースドライバ２１、第２ソースドライバ２２、第３ソースドライバ２３、第４ソースドライバ２４、第１ゲートドライバ３１、第２ゲートドライバ３２、第３ゲートドライバ３３、第４ゲートドライバ３４、コントロール部７０、報知部８０を備えている。
【０１７０】
第１ソースドライバ２１および第３ソースドライバ２３は、同一のソースラインを介して対を成して構成され、第２ソースドライバ２２および第４ソースドライバ２４は、同一のソースラインを介して対を成して構成され、各ソースライン（１１）は、隣り合う連続して配される複数本を１組として構成されている。すなわち、１組のソースライン１１ａの一端に第１ソースドライバ２１が接続されるとともに、他端に第３ソースドライバ２３が接続されており、１組のソースライン１１ｂの一端に第２ソースドライバ２２が接続されるとともに、他端に第４ソースドライバ２４が接続されている。
【０１７１】
第１ゲートドライバ３１および第３ゲートドライバ３３は、同一のゲートラインを介して対を成して構成され、第２ゲートドライバ３２および第４ゲートドライバ３４は、同一のゲートラインを介して対を成して構成され、各ゲートライン（１２）は、隣り合う連続して配される複数本を１組として構成されている。すなわち、１組のゲートライン１２ａの一端に第１ゲートドライバ３１が接続されるとともに、他端に第３ゲートドライバ３３が接続されており、１組のゲートライン１２ｂの一端に第２ゲートドライバ３２が接続されるとともに、他端に第４ゲートドライバ３４が接続されている。
【０１７２】
このように、第１ソースドライバ２１および第３ソースドライバ２３は、互いに同一の機能を有し、それぞれが同一のソースライン１１ａに接続され、第２ソースドライバ２２および第４ソースドライバ２４は、互いに同一の機能を有し、それぞれが同一のソースライン１１ｂに接続されている。すなわち、第１ソースドライバ２１および第３ソースドライバ２３は、同一の信号線（ソースライン１１ａ）を介して対を成して配され、冗長性を有するように構成されている。同様に、第２ソースドライバ２２および第４ソースドライバ２４は、同一の信号線（ソースライン１１ｂ）を介して対を成して配され、冗長性を有するように構成されている。
【０１７３】
また、第１ゲートドライバ３１および第３ゲートドライバ３３は、互いに同一の機能を有し、それぞれが同一のゲートライン１２ａに接続され、第２ゲートドライバ３２および第４ゲートドライバ３４は、互いに同一の機能を有し、それぞれが同一のゲートライン１２ｂに接続されている。すなわち、第１ゲートドライバ３１および第３ゲートドライバ３３ｂは、同一の信号線（ゲートライン１２ａ）を介して対を成して配され、冗長性を有するように構成されている。同様に、第２ゲートドライバ３２および第４ゲートドライバ３４は、同一の信号線（ゲートライン１２ｂ）を介して対を成して配され、冗長性を有するように構成されている。
【０１７４】
以下では、必要に応じて、第１ソースドライバ２１および第２ソースドライバ２２をそれぞれメインソースドライバ２１およびメインソースドライバ２２、第３ソースドライバ２３および第４ソースドライバ２４をそれぞれサブソースドライバ２３（冗長回路）サブソースドライバ２４（冗長回路）ともいう。また、第１ゲートドライバ３１および第２ゲートドライバ３２をそれぞれメインゲートドライバ３１およびメインゲートドライバ３２、第３ゲートドライバ３３および第４ゲートドライバ３４をそれぞれサブゲートドライバ３３（冗長回路）サブゲートドライバ３４（冗長回路）ともいう。
【０１７５】
第１ソースドライバ２１は、複数の第１ソースチップドライバを含んで構成され、本実施の形態では、３つの第１ソースチップドライバ２１ａ・２１ｂ・２１ｃを含んでいる。第２ソースドライバ２２は、複数の第２ソースチップドライバを含んで構成され、本実施の形態では、３つの第２ソースチップドライバ２２ａ・２２ｂ・２２ｃを含んでいる。第３ソースドライバ２３は、複数の第３ソースチップドライバを含んで構成され、本実施の形態では、３つの第３ソースチップドライバ２３ａ・２３ｂ・２３ｃを含んでいる。第４ソースドライバ２４は、複数の第４ソースチップドライバを含んで構成され、本実施の形態では、３つの第４ソースチップドライバ２４ａ・２４ｂ・２４ｃを含んでいる。各ソースチップドライバは、それぞれに個別に接続される複数のソースラインを駆動する。
【０１７６】
第１ゲートドライバ３１は、複数の第１ゲートチップドライバを含んで構成され、本実施の形態では、２つの第１ゲートチップドライバ３１ａ・３１ｂを含んでいる。第２ゲートドライバ３２は、複数の第２ゲートチップドライバを含んで構成され、本実施の形態では、２つの第２ゲートチップドライバ３２ａ・３２ｂを含んでいる。第３ゲートドライバ３３は、複数の第３ゲートチップドライバを含んで構成され、本実施の形態では、２つの第３ゲートチップドライバ３３ａ・３３ｂを含んでいる。第４ゲートドライバ３４は、複数の第４ゲートチップドライバを含んで構成され、本実施の形態では、２つの第４ゲートチップドライバ３４ａ・３４ｂを含んでいる。各ゲートチップドライバは、それぞれに個別に接続される複数のゲートラインを駆動する。
【０１７７】
コントロール部７０は、ゲートドライバおよびソースドライバを制御する一般的な機能（図示せず）に加えて、各ソースドライバ（第１〜第４ソースドライバ２１〜２４）から出力されるソース信号をモニタリングして、出力タイミングが正常であるか否かを判定するソース出力判定部７４と、各ゲートドライバ（第１〜第４ゲートドライバ３１〜３４）から出力されるゲート信号をモニタリングして、出力タイミングが正常であるか否かを判定するゲート出力判定部７５と、を有している。ソース出力判定部７４により、ソース信号の出力タイミングが異常であると判定された場合には、正常な表示が行われないため、当該ソース信号を出力したソースドライバの故障と判定される。ゲート出力判定部７５により、ゲート信号の出力タイミングが異常であると判定された場合には、正常な表示が行われないため、当該ゲート信号を出力したゲートドライバの故障と判定される。
【０１７８】
また、コントロール部７０は、ソース出力判定部７４の判定結果に応じて、ソースライン１１ａを駆動するためのドライバについて、第１ソースドライバ２１および第３ソースドライバ２３を相互に切り替え、ソースライン１１ｂを駆動するためのドライバについて、第２ソースドライバ２２および第４ソースドライバ２４を相互に切り替える。また、ゲート出力判定部７５の判定結果に応じて、ゲートライン１２ａを駆動するためのドライバについて、第１ゲートドライバ３１および第２ゲートドライバ３２を相互に切り替え、ゲートライン１２ｂを駆動するためのドライバについて、第２ゲートドライバ３２および第４ゲートドライバ３４を相互に切り替える。すなわち、コントロール部７０は、メインゲートドライバをサブゲートドライバに切り替える切替手段としての機能も有する。
【０１７９】
また、コントロール部７０は、ソースドライバまたはゲートドライバに異常が発生した場合に液晶表示パネル１０に表示させるためのメッセージデータを格納するメモリ部７６を備えている。このメッセージを表示させる際には、当該データに応じた電位をソースドライバに供給する。
【０１８０】
さらに、コントロール部７０は、各ドライバの異常状態を外部に報知するためのエラーフラグ（ソースエラーフラグ、ゲートエラーフラグ）を報知部８０に出力する。報知部８０は、ソースドライバおよびゲートドライバの故障をユーザに知らせる機能を有し、例えば、ＬＥＤランプを点灯させる、メッセージを表示させる、エラー音を発する、など周知の方法を適用することができる。このコントロール部７０のより詳細な構成については後述する。
【０１８１】
（液晶表示装置２の動作例）
次に、コントロール部７０の具体的な構成とともに、液晶表示装置２の動作例について説明する。ここでは、一例として、８００ＲＧＢ×４８０（ＷＶＧＡ）の液晶表示装置２を例に挙げて説明する。
【０１８２】
＜ソースドライバの切り替え＞
初めに、ソースドライバの切り替え動作処理について、ソース出力判定部７４の具体的な構成とともに説明する。図２１は、第１および第２ソースドライバ２１，２２の概略構成を示すブロック図である。
【０１８３】
図２１に示すように、第１ソースドライバ２１は、第１ソースチップドライバ２１ａ・２１ｂ・２１ｃがカスケード接続されて構成されており、コントロール部７０から第１ソースチップドライバ２１ａにソーススタートパルスＳＰＯＩ_Ａが入力されることにより、第１ソースチップドライバ２１ａのデータサンプリングが開始される。第１ソースチップドライバ２１ａは、対応する各ソースライン１１ａへ映像信号に対応するデータ信号（Digital Data）をサンプリングするとともに、隣接する第１ソースチップドライバ２１ｂへソース信号ＳＰＩＯを出力する。第１ソースチップドライバ２１ｂは、ソース信号ＳＰＩＯが入力されるとデータサンプリングが開始され、対応する各ソースライン１１ａへ映像信号に対応するデータ信号をサンプリングするとともに、隣接する第１ソースチップドライバ２１ｃへソース信号ＳＰＩＯを出力する。第１ソースチップドライバ２１ｃは、ソース信号ＳＰＩＯが入力されるとデータサンプリングが開始され、対応する各ソースライン１１ａへ映像信号に対応するデータ信号をサンプリングするとともに、コントロール部７０へソース信号ＳＰＩＯ_Ａを出力する。そして、このソース信号ＳＰＩＯ_Ａがコントロール部７０のソース出力判定部７４に入力される。なお、第２ソースドライバ２２は、第２ソースチップドライバ２２ａ・２２ｂがカスケード接続されて構成され、第１ソースドライバ２１と同様の機能を有する。
【０１８４】
また、コントロール部７０は、所定のタイミングで第２ソースチップドライバ２２ａにソーススタートパルスＳＰＯＩ_Ｂを出力する。これにより、第２ソースチップドライバ２２ａのデータサンプリングが開始される。そして、第２ソースチップドライバ２２ｂ・２２ｃにおいて、上記と同様の処理が行われた後、第２ソースチップドライバ２２ｃが、対応する各ソースライン１１ｂへ映像信号に対応するデータ信号をサンプリングするとともに、コントロール部７０へソース信号ＳＰＩＯ_Ｂを出力する。そして、このソース信号ＳＰＩＯ_Ｂがコントロール部７０のソース出力判定部７４に入力される。ここで、上記所定のタイミングとは、１組のソースライン１１ａを駆動する第１ソースドライバ２１における上記データサンプリングの処理が終了するタイミングである。
【０１８５】
なお、図２１では、紙面左方向から右方向へサンプリングする構成となっているが、出力信号ＳＰＩＯとＳＰＯＩとを入れ替えて、右方向から左方向へサンプリングする構成としてもよい。
【０１８６】
ここで、第１（メイン）ソースドライバ２１が正常に動作している場合について、図２１および図２２を用いて説明する。図２２は、第１ソースドライバ２１が正常に動作している場合の、コントロール部７０、第１および第２ソースドライバ２１・２２における各種信号を示すタイミングチャートである。
【０１８７】
まず、コントロール部７０は、第１ソースチップドライバ２１ａにソーススタートパルスＳＰＯＩ_Ａを出力状態（Ｈｉ）にするとともに、第２〜第４ソースチップドライバ２２ａ・２３ａ・２４ａにソーススタートパルスＳＰＯＩのＬｏレベルを出力する。これにより、第１ソースドライバ２１がアクティブ状態となり、第２〜第４ソースドライバ２２・２３・２４が非アクティブ状態となる。コントロール部７０から第１ソースチップドライバ２１ａにＳＰＯＩ_Ａが入力されると、クロックＣＬＫに基づいてサンプリングを開始する。なお、クロックＣＬＫは、パネル解像度に応じて決定されるものである。図２０の形態では、例えば８００ＲＧＢ×４８０（ＷＶＧＡ）の液晶表示装置であるため、ソースドライバは、８００クロックの間でサンプリングを行う。すなわち、第１ソースドライバ２１および第３ソースドライバ２３は、４００ＲＧＢライン（ソースライン１１ａ）を駆動するために４００クロックの間でサンプリングを行い、第２ソースドライバ２２および第４ソースドライバ２４は、４００ＲＧＢライン（ソースライン１１ｂ）を駆動するために４００クロックの間でサンプリングを行う。
【０１８８】
ソーススタートパルスＳＰＯＩ_Ａにより、第１ソースチップドライバ２１ａ・２１ｂ・２１ｃが順次駆動し、第１ソースチップドライバ２１ｃからソース信号ＳＰＩＯ_Ａが出力され、コントロール部７０に入力される。
【０１８９】
ここで、コントロール部７０のソース出力判定部７４では、ソース信号が正規のタイミングで出力されているか否かを判定する。具体的には、ソース出力判定部７４は、ソース信号ＳＰＩＯ_Ａが、ソーススタートパルスＳＰＯＩ_Ａが出力されてから４００クロック後に出力されているか、および、ソース信号ＳＰＩＯ_Ａが、ソーススタートパルスＳＰＯＩ_Ａが出力されてから４００クロック後でないタイミングで出力されていないかを、クロック毎にソース信号ＳＰＩＯ_Ａをモニタリングして判定する（図２２ではＣＬＫの立ち上がりごとにモニタリングしている様子を示している）。ソース出力判定部７４が、ソース信号ＳＰＩＯ_Ａが正規のタイミングで出力されていないと判定した場合には、第１ソースドライバ２１の故障と判定し、コントロール部７０はソーススタートパルスＳＰＯＩ_Ａを出力状態からＬｏレベルに切り替える（後述の図２４の説明）。
【０１９０】
図２２では、ソース信号ＳＰＩＯ_Ａが、正規のタイミングで出力されているため（図２２の丸囲み部分）、第１ソースドライバ２１は正常と判定され、ソースエラーフラグＡはＬｏレベルを維持される。
【０１９１】
これにより、次の水平走査期間において、再び、コントロール部７０から第１ソースチップドライバ２１ａにソーススタートパルスＳＰＯＩ_Ａが入力され、上記と同様の処理が繰り返される。すなわち、図２２では、第１ソースドライバ２１に不具合が生じていないため、第３ソースドライバ２３へ切り替えられることなく、第１ソースドライバ２１のみにより処理が繰り返される。このとき、第３ソースドライバ２３では、入出力される各種信号はすべてＬｏレベルに維持されている。なお、報知部８０に入力されるソースエラーフラグＡ・Ｃは、ともにＬｏレベルであるため、例えば、第１および第３ソースドライバ２１・２３の状態を表示するＬＥＤランプ（第１Ｍａｉｎ）およびＬＥＤランプ（第１Ｓｕｂ）は、いずれも正常状態を示す「緑点灯」の状態となっている。
【０１９２】
ここで、コントロール部７０では、ソース出力判定部７４による上記判定処理を行うとともに、第２ソースドライバ２２へ動作指示を与える。具体的には、コントロール部７０は、ソーススタートパルスＳＰＯＩ_Ａを第１ソースドライバ２１へ出力してから４００クロック後に、ソーススタートパルスＳＰＯＩ_Ｂを第２ソースドライバ２２へ出力する。これにより、第１ソースドライバ２１が故障しているか否かに関わらず、第２ソースドライバ２２の駆動（データサンプリング）が開始する。すなわち、コントロール部７０から第２ソースドライバ２２にソーススタートパルスＳＰＯＩ_Ｂが入力されると、初段（１段目）の第２ソースチップドライバ２２ａ（図２１）がセットされる。
【０１９３】
これにより、第２ソースチップドライバ２２ａ・２２ｂ・２２ｃが順次駆動し、第２ソースチップドライバ２２ｃからソース信号ＳＰＩＯ_Ｂが出力され、コントロール部７０に入力される。
【０１９４】
ここで、コントロール部７０のゲート出力判定部７１では、同様に、ソース信号ＳＰＩＯ_Ｂが正規（所定）のタイミングで出力されているか否かを判定する。具体的には、ソース出力判定部７４は、ソース信号ＳＰＩＯ_Ｂが、ソーススタートパルスＳＰＯＩ_Ｂが出力されてから４００クロック後に出力されているか、および、ソース信号ＳＰＩＯ_Ｂが、ソーススタートパルスＳＰＯＩ_Ｂが出力されてから４００クロック後でないタイミングで出力されていないかを、クロック毎にソース信号ＳＰＩＯ_Ｂをモニタリングして判定する（図２２ではＣＬＫの立ち上がりごとにモニタリングしている様子を示している）。ソース出力判定部７４が、ソース信号ＳＰＩＯ_Ｂが正規のタイミングで出力されていないと判定した場合には、第２ソースドライバ２２の故障と判定し、コントロール部７０はソーススタートパルスＳＰＯＩ_Ｂを出力状態からＬｏレベルに切り替える。
【０１９５】
図２２では、ソース信号ＳＰＩＯ_Ｂが、正規のタイミングで出力されているため（図２２の丸囲み部分）、第２ソースドライバ２２は正常と判定され、ソースエラーフラグＢはＬｏレベルを維持される。
【０１９６】
これにより、次の水平走査期間において、再び、コントロール部７０から第２ソースチップドライバ２２ａにソーススタートパルスＳＰＯＩ_Ｂが入力され、上記と同様の処理が繰り返される。すなわち、図２２では、第２ソースドライバ２２に不具合が生じていないため、第４ソースドライバ２４へ切り替えられることなく、第２ソースドライバ２２のみにより処理が繰り返される。このとき、第４ソースドライバ２４では、入出力される各種信号はすべてＬｏレベルに維持されている。なお、報知部８０に入力されるソースエラーフラグＢ・Ｄは、ともにＬｏレベルであるため、例えば、第２および第４ソースドライバ２２・２４の状態を表示するＬＥＤランプ（第２Ｍａｉｎ）およびＬＥＤランプ（第２Ｓｕｂ）は、いずれも正常状態を示す「緑点灯」の状態となっている。
【０１９７】
次に、液晶表示装置２を使用中に第１（メイン）ソースドライバ２１が故障した場合について図２３および図２４を用いて説明する。ここでは、第１ソースチップドライバ２１ｂが故障し（図２３の斜線部）、ソース信号ＳＰＩＯが、第１ソースチップドライバ２１ｃに入力されず、最終段の第１ソースチップドライバ２１ｃからソース信号ＳＰＩＯ_Ａが正規のタイミングで出力されていない状態を示している（図２４の丸囲み点線部分）。
【０１９８】
この場合には、ソース出力判定部７４に、ソース信号ＳＰＩＯ_Ａが正規のタイミング（ソーススタートパルスＳＰＯＩ_Ａが出力されてから４００クロック後）で入力されないため、ソース出力判定部７４は、第１ソースドライバ２１の故障と判定する。そして、コントロール部７０は、ソーススタートパルスＳＰＯＩ_ＡをＬｏレベルに固定するとともに、ソースエラーフラグＡをＬｏレベルからＨｉレベルに切り替える。これにより、第１ソースドライバ２１がアクティブ状態から非アクティブ状態に切り替わり、第１ソースドライバ２１の動作が停止するとともに、報知部８０から、第１ソースドライバ２１が故障したことを知らせるメッセージが外部に報知される。例えば、第１ソースドライバ２１の状態を表示するＬＥＤランプ（第１Ｍａｉｎ）が、正常状態を示す「緑点灯」から、異常状態を示す「赤点灯」に切り替わる。これにより、ユーザは第１ソースドライバ２１が故障したことを認識することができる。
【０１９９】
また、コントロール部７０では、上記判定処理を行うとともに、所定のタイミング（ソーススタートパルスＳＰＯＩ_Ａが出力されてから４００クロック）で第２ソースドライバ２２へソーススタートパルスＳＰＯＩ_Ｂを出力する。図２４では、第２ソースドライバ２２に故障が生じていないため、図２２に示した通常の動作が行われる。
【０２００】
続いて、コントロール部７０では、次の水平走査期間の開始タイミングに同期させて、ソーススタートパルスＳＰＯＩ_ＣをＬｏレベルから出力状態に切り替え、第３ソースドライバ２３を非アクティブ状態からアクティブ状態に切り替える。これにより、次の水平走査期間では、第３ソースドライバ２３が、ソースライン１１ａを駆動することになる。そして、第３ソースドライバ２３の第３ソースチップドライバ２３ａ・２３ｂ・２３ｃが順次駆動し、第３ソースチップドライバ２３ｃからソース信号ＳＰＩＯ_Ｃが出力され、コントロール部７０に入力される。
【０２０１】
コントロール部７０のソース出力判定部７４では、このソース信号ＳＰＩＯ_Ｃが、ソーススタートパルスＳＰＯＩ_Ｃが出力されてから４００クロック後に出力されているか、および、ソース信号ＳＰＩＯ_Ｃが、ソーススタートパルスＳＰＯＩ_Ｃが出力されてから４００クロック後でないタイミングで出力されていないかを、クロック毎にソース信号ＳＰＩＯ_Ｃをモニタリングして判定する。図２４では、ソース信号ＳＰＩＯ_Ｃが、正規のタイミングで出力されているため（図２４の丸囲み部分）、第３ソースドライバ２３は正常と判定され、ソースエラーフラグＣはＬｏレベルを維持される。
【０２０２】
これにより、次の水平走査期間において、再び、コントロール部７０から第３ソースドライバ２３にソーススタートパルスＳＰＯＩ_Ｃが入力され、上記と同様の処理が繰り返される。すなわち、図２４では、第３ソースドライバ２３において不具合が生じていないため、第３ソースドライバ２３により処理が繰り返される。このとき、故障と判定された第１ソースドライバ２１では、ソーススタートパルスＳＰＯＩ_ＡはＬｏレベルに維持されている。
【０２０３】
このように、図２４の構成では、第１水平走査期間において第１ソースドライバ２１が故障した場合、ソースライン１１ａについては、第２水平走査期間以降は第３ソースドライバ２３により駆動される一方、ソースライン１１ｂについては、第２ソースドライバ２２により駆動される。なお、第１水平走査期間において第２ソースドライバ２２が故障した場合には、ソースライン１１ａについては、第１ソースドライバ２１により駆動される一方、ソースライン１１ｂについては、第２水平走査期間以降は第４ソースドライバ２４により駆動される。
【０２０４】
次に、図２４の駆動（すなわち、第１（メイン）ソースドライバ２１が停止し、第３（サブ）ソースドライバ２３が駆動）をしている液晶表示装置２を使用中に、第３（サブ）ソースドライバ２３が故障した場合について、図２５を用いて説明する。図２５では、ある第３ソースチップドライバ２３ｂ（図示せず）が故障し、ソース信号ＳＰＩＯが、第３ソースチップドライバ２３ｃに入力されず、最終段の第３ソースチップドライバ２３ｃからソース信号ＳＰＩＯ_Ｃが正規のタイミングで出力されていない状態を示している（図２５の丸囲み点線部分）。なお、説明の便宜上、上記故障は、第２水平走査期間おいて生じたものとする。
【０２０５】
この場合には、ソース出力判定部７４に、ソース信号ＳＰＩＯ_Ｃが正規のタイミング（ソーススタートパルスＳＰＯＩ_Ｃが出力されてから４００クロック後）で入力されないため、ソース出力判定部７４は、第３ソースドライバ２３の故障と判定する。この判定結果を受けてコントロール部７０は、ソーススタートパルスＳＰＯＩ_ＣをＬｏレベルに固定する。これにより、第３ソースドライバ２３がアクティブ状態から非アクティブ状態に切り替わり、第３ソースドライバ２３の動作が停止する。
【０２０６】
また、コントロール部７０は、ソースエラーフラグＣをＬｏレベルからＨｉレベルに切り替えることにより、報知部８０から、第３ソースドライバ２３が故障したことを知らせるメッセージが外部に報知される。例えば、第３ソースドライバ２３の状態を表示するＬＥＤランプ（第１Ｓｕｂ）が、正常状態を示す「緑点灯」から、異常状態を示す「赤点灯」に切り替わる。これにより、ＬＥＤランプ（第１Ｍａｉｎ）およびＬＥＤランプ（第１Ｓｕｂ）ともに「赤点灯」となり、ユーザは第１および第３ソースドライバ２１・２３が故障したことを認識することができる。
【０２０７】
一方、コントロール部７０では、上記判定処理および切替処理を行うとともに、第２ソースドライバ２２へソーススタートパルスＳＰＯＩ_Ｂを出力する。図２５では、第２ソースドライバ２２に故障が生じていないため、図２２に示した通常の動作が行われる。
【０２０８】
続いて、第３水平走査期間では、コントロール部７０は、第３水平走査期間の開始タイミングでソーススタートパルスＳＰＯＩ_Ｃの出力を行わず、４００クロック後にソーススタートパルスＳＰＯＩ_Ｂを出力する。このとき、コントロール部７０は、メモリ部７６に格納されているメッセージデータを第２ソースドライバ２２に供給する。メッセージの内容としては、液晶表示装置２に故障が発生している旨をユーザに警告する内容であり、さらに、サービスセンターの連絡先等を含めてもよい。これらのメッセージは、予めメモリ部７６に登録されるものであり、また、必要に応じて追加や修正が可能となっている。
【０２０９】
これにより、第３水平走査期間では、ソースライン１１ａに相当する表示画面の左半分には何も表示されず、ソースライン１１ｂに相当する表示画面の右半分には、所望のメッセージ（警告）表示が行われる。
【０２１０】
ここで、第１（メイン）ソースドライバ２１、第２（メイン）ソースドライバ２２、第３（サブ）ソースドライバ２３が停止し、第４（サブ）ソースドライバ２４のみが駆動している液晶表示装置２において、第４（サブ）ソースドライバ２４が故障した場合について説明する。
【０２１１】
この場合には、ソース出力判定部７４に、ソース信号ＳＰＩＯ_Ｄが正規のタイミング（ソーススタートパルスＳＰＯＩ_Ｄが出力されてから４００クロック後）で入力されないため、ソース出力判定部７４は、第４ソースドライバ２４の故障と判定する。この判定結果を受けてコントロール部７０は、ソーススタートパルスＳＰＯＩ_ＤをＬｏレベルに固定する。これにより、第４ソースドライバ２４がアクティブ状態から非アクティブ状態に切り替わり、第４ソースドライバ２４の動作が停止する。これにより、次の水平走査期間では、全てのソースドライバが停止状態となる。
【０２１２】
また、コントロール部７０は、ソースエラーフラグＤをＬｏレベルからＨｉレベルに切り替えることにより、報知部８０から、第４ソースドライバ２４が故障したことを知らせるメッセージが外部に報知される。例えば、第４ソースドライバ２４の状態を表示するＬＥＤランプ（第２Ｓｕｂ）が、正常状態を示す「緑点灯」から、異常状態を示す「赤点灯」に切り替わる。これにより、これにより、全ＬＥＤランプが「赤点灯」となり、ユーザは全てのソースドライバが故障したことを認識することができる。
【０２１３】
なお、図２３では、第１ソースチップドライバ２１ｂの故障によりソース信号ＳＰＩＯ_Ａが出力されない場合を示したが、他の不具合例としては、不正なタイミングでソース信号ＳＰＩＯ_Ａが出力される場合や、正規のタイミングおよび不正なタイミング双方でソース信号ＳＰＩＯ_Ａが出力される場合が挙げられる。その点、本液晶表示装置２のソース出力判定部７４によれば、ソース信号ＳＰＩＯ_Ａが、ソーススタートパルスＳＰＯＩ_Ａが出力されてから４００クロック後に出力されているか、および、ソース信号ＳＰＩＯ_Ａが、ソーススタートパルスＳＰＯＩ_Ａが出力されてから４００クロック後でないタイミングで出力されていないか、の双方をチェックして正常／異常を判定しているため、ソースドライバの故障を確実に検出することができる。
【０２１４】
また、ソース出力判定部７４は、ソース信号ＳＰＩＯの異常と判定した回数が連続して複数回に達した時点で、各ソースドライバの故障と判定してもよい。この構成は、実施の形態１と同様、カウンタ部７３を備えることにより実現できる。
【０２１５】
なお、上記の形態では、ソースドライバからソース出力判定部７４に入力される（戻される）異常検知の対象となるソース信号ＳＰＩＯを、最終の４００クロック目のソース信号ＳＰＩＯとしているが、これに限定されるものではなく、例えば、第１ソースチップドライバ２１ａもしくは２１ｂから出力されるソース信号ＳＰＩＯとしてもよい。あるいは、第１ソースチップドライバ２１ａ・２１ｂ・２１ｃの各ソース信号ＳＰＩＯを、順次、ソース出力判定部７４に入力して、ソースチップドライバごとにソース信号ＳＰＩＯが異常であるか否かを判定する構成としてもよい。さらに、各ソースライン１１ａ，１１ｂに出力されるデータ信号の出力タイミングが異常であるか否かを判定する構成としてもよい。
【０２１６】
ここで、液晶表示装置２の上記動作例に対応するフローチャートを図２６に示す。図２６に示すように、まず、ステップＳ４１において、コントロール部７０は、ソーススタートパルスＳＰＯＩ_Ａを出力状態とする。このとき、ソーススタートパルスＳＰＯＩ_Ｃ、ソースエラーフラグＡ、ソースエラーフラグＣについてはＬｏレベルを出力する。
【０２１７】
次に、ステップＳ４２において、ソース出力判定部７４が、正規の位置（タイミング）でソース信号ＳＰＩＯ_Ａが出力されているか、および、正規の位置ではない位置でソース信号ＳＰＩＯ_Ａが出力されていないかを判定する（判定ステップ）。
【０２１８】
ステップＳ４２においてＹＥＳの場合、すなわち、ソース信号ＳＰＩＯ_Ａが、正規の位置（タイミング）で出力され、かつ、正規の位置ではない位置で出力されていない場合には、第１ソースドライバ２１は正常であると判定し、ステップＳ４１に戻り、第１ソースドライバ２１において通常の動作が繰り返される。
【０２１９】
一方、ステップＳ４２においてＮＯの場合、すなわち、ソース信号ＳＰＩＯ_Ａが、正規の位置（タイミング）で出力されていない場合、または、正規の位置ではない位置で出力されている場合、あるいは、正規の位置で出力されているにもかかわらず他の位置でも出力されている場合には、第１ソースドライバ２１が故障していると判定し、次のステップＳ４３に移行する。
【０２２０】
ステップＳ４３では、ソース出力判定部７４の判定結果（第１ソースドライバ２１の故障）に基づいて、コントロール部７０が、ソーススタートパルスＳＰＯＩ_ＡをＬｏレベルに固定し、ソーススタートパルスＳＰＯＩ_Ｃを出力状態に切り替える。さらに、ソースエラーフラグＡをＨｉレベルに切り替える。ソースエラーフラグＣについては、Ｌｏレベルを維持する。これにより、第１ソースドライバ２１が停止し、第３ソースドライバ２３が駆動を開始する。同時に、第１ソースドライバ２１の故障が外部に報知される。
【０２２１】
次に、ステップＳ４４では、第３ソースドライバ２３において、ソース出力判定部７４が、ソース信号ＳＰＩＯ_Ｃの出力タイミングをモニタリングして、第３ソースドライバ２３の状態を判定する。
【０２２２】
ステップＳ４４においてＹＥＳの場合、すなわち、ソース信号ＳＰＩＯ_Ｃが、正規の位置（タイミング）で出力され、かつ、正規の位置ではない位置で出力されていない場合には、第３ソースドライバ２３は正常であると判定し、ステップＳ４３に戻り、第３ソースドライバ２３による通常の動作が繰り返される。
【０２２３】
一方、ステップＳ４４においてＮＯの場合、すなわち、ソース信号ＳＰＩＯ_Ｃが、正規の位置（タイミング）で出力されていない場合、または、正規の位置ではない位置で出力されている場合、あるいは、正規の位置で出力されているにもかかわらず他の位置でも出力されている場合には、第３ソースドライバ２３が故障していると判定し、次のステップＳ４５に移行する。
【０２２４】
ステップＳ４５では、ソース出力判定部７４の判定結果（第３ソースドライバ２３の故障）に基づいて、コントロール部７０が、ソーススタートパルスＳＰＯＩ_ＣをＬｏレベルに固定する。さらに、ソースエラーフラグＣをＨｉレベルに切り替える。これにより、第１ソースドライバ２１に加えて、第３ソースドライバ２３の動作も停止する。そして、第１および第３ソースドライバ２１・２３の故障が外部に報知される。また、この場合には、表示画面の右半分には警告表示（図２５参照）が行われる。
【０２２５】
次に、ステップＳ４６では、ソースエラーフラグＢ・Ｄの何れもがＯＮ（Ｈｉレベル）であるか否かを判定する。ステップＳ４６においてＹＥＳの場合、すなわち、ソースエラーフラグＢ・Ｄの何れもがＨｉレベルである場合には、第１〜第４ソースドライバ２１〜２４の全てが故障していると判定し、液晶表示装置２の機能を停止する（ステップＳ４７）。
【０２２６】
一方、ステップＳ４６においてＮＯの場合、すなわち、ソースエラーフラグＢ・Ｄの少なくとも何れか一方がＬｏレベルである場合には、第２・第４ソースドライバ２２・２４の少なくとも何れか一方は正常であると判定し、ステップＳ４５に戻り、上記警告表示が繰り返される（図２５参照）。
【０２２７】
なお、上述の動作例における各処理内容は、第２ソースドライバ２２および第４ソースドライバ２４の故障を検知する動作例についても同様であるため、説明は省略する。
【０２２８】
以上のように、本実施の形態に係る液晶表示装置２では、全ソースラインが複数の組（図２０では、２組：ソースライン１１ａとソースライン１１ｂ）に分割され、各組に対応してソースドライバ（ソースドライバ２１・２２）が個別に設けられている。これにより、何れかのソースドライバ（例えば、ソースドライバ２１）が故障した場合でも、正常なソースドライバ（例えば、ソースドライバ２２）により、対応するソースライン（例えば、ソースライン１１ｂ）を駆動することができるため、表示機能が突然停止することがない。よって、ユーザによる使用中に表示画面に何も表示されなくなるという不具合を回避することができる。また、一方のソースドライバが故障した場合には、他方のソースドライバの動作により、故障した旨のメッセージが表示画面の一部に表示されるため、ユーザは故障（表示不良）の原因等を認識することができる。
【０２２９】
このような効果を得るためには、本液晶表示装置は、図２７に示すように、上記分割された組ごとに少なくとも１つのソースドライバを備えていればよい。
【０２３０】
加えて、図２０に示す液晶表示装置２では、上記分割された組ごとに２つのソースドライバを備えているため、例えば、第１（メイン）ソースドライバ２１が故障した場合には、自動的に第３（サブ）ソースドライバ２２（冗長回路）に切り替わるため、表示機能を停止させることなく動作を続行させることができる。よって、製造時においては冗長回路に切り替える手間を省くことができるとともに、ユーザ使用時においては製品寿命を延ばすことができる。
【０２３１】
＜ゲートドライバの切り替え＞
続いて、ゲートドライバの切り替えについて、ゲート出力判定部７５の構成とともに説明する。図２０に示すように、第１ゲートドライバ３１は、第１ゲートチップドライバ３１ａ・３１ｂがカスケード接続されて構成されており、コントロール部７０から第１ゲートチップドライバ３１ａにゲートスタートパルスＧＳＰＯＩ_Ａが入力されることにより、第１ゲートチップドライバ３１ａの駆動が開始される。第１ゲートチップドライバ３１ａは、対応する各ゲートライン１２ａへゲート信号Ｇｏｕｔを出力するとともに、隣接する第１ゲートチップドライバ３１ｂへゲート信号ＧＳＰＩＯを出力する。これにより第１ゲートチップドライバ３１ｂの駆動が開始され、第１ゲートチップドライバ３１ｂは、対応する各ゲートライン１２ａへゲート信号Ｇｏｕｔを出力するとともに、ゲート信号ＧＳＰＩＯ_Ａを出力する。そして、このゲート信号ＧＳＰＩＯ_Ａがコントロール部７０のゲート出力判定部７５に入力される。なお、第２ゲートドライバ３２は、第２ゲートチップドライバ３２ａ・３２ｂがカスケード接続されて構成され、第１ゲートドライバ３１と同様の機能を有する。
【０２３２】
また、コントロール部７０は、所定のタイミングで第２ゲートチップドライバ３２ａにゲートスタートパルスＧＳＰＯＩ_Ｂを出力する。これにより、第２ゲートチップドライバ３２ａのデータサンプリングが開始される。そして、第２ゲートチップドライバ３２ｂ・３２ｃにおいて、上記と同様の処理が行われた後、第２ゲートチップドライバ３２ｃが、対応する各ゲートライン１２ｂへゲート信号Ｇｏｕｔを出力するとともに、コントロール部７０へゲート信号ＧＳＰＩＯ_Ｂを出力する。そして、このゲート信号ＧＳＰＩＯ_Ｂがコントロール部７０のゲート出力判定部７５に入力される。ここで、上記所定のタイミングとは、ゲート信号ＧＳＰＩＯ_Ａが、ゲートスタートパルスＧＳＰＯＩ_Ａが出力されてから２４０ライン（２４０水平走査期間）の終了時をいう。
【０２３３】
ここで、第１（メイン）ゲートドライバ３１が正常に動作している場合について、図２８を用いて説明する。図２８は、第１ゲートドライバ３１が正常に動作している場合の、コントロール部７０、および第１ゲートドライバ３１における各種信号を示すタイミングチャートである。
【０２３４】
まず、コントロール部７０は、第１ゲートチップドライバ３１ａにゲートスタートパルスＧＳＰＯＩ_Ａを出力状態（Ｈｉ）にするとともに、第２〜第４ゲートチップドライバ３２ａ・３３ａ・３４ａにゲートスタートパルスＧＳＰＯＩのＬｏレベルを出力する。これにより、第１ゲートドライバ３１がアクティブ状態となり、第２〜第４ゲートドライバ３２・３３・３４が非アクティブ状態となる。コントロール部７０から第１ゲートチップドライバ３１ａにＧＳＰＯＩ_Ａが入力されると、クロックＧＣＫに基づいて走査を開始する。なお、クロックＧＣＫは、パネル解像度に応じて決定されるものである。図２０の形態では、例えば８００ＲＧＢ×４８０（ＷＶＧＡ）の液晶表示装置であるため、ゲートドライバは、４８０ライン（４８０水平走査期間）走査を行う。すなわち、第１ゲートドライバ３１および第３ゲートドライバ３３は、２４０ライン（ゲートライン１２ａ：Ｇ１〜Ｇ２４０）を駆動し、第２ゲートドライバ３２および第４ゲートドライバ３４は、２４０ライン（ゲートライン１２ｂ：Ｇ２４１〜Ｇ４８０）を駆動する。
【０２３５】
ゲートスタートパルスＧＳＰＯＩ_Ａにより、第１ゲートチップドライバ３１ａ・３１ｂが順次駆動し、第１ゲートチップドライバ３１ｂからゲート信号ＧＳＰＩＯ_Ａが出力され、コントロール部７０に入力される。
【０２３６】
ここで、コントロール部７０のゲート出力判定部７５では、ゲート信号が正規のタイミングで出力されているか否かを判定する。具体的には、ゲート出力判定部７５は、ゲート信号ＧＳＰＩＯ_Ａが、ゲートスタートパルスＧＳＰＯＩ_Ａが出力されてから２４０ライン後に出力されているか、および、ゲート信号ＧＳＰＩＯ_Ａが、ゲートスタートパルスＧＳＰＯＩ_Ａが出力されてから２４０ライン後でないタイミングで出力されていないかを、検知パルスをトリガーとしてゲート信号ＧＳＰＩＯ_Ａをモニタリングして判定する。ゲート出力判定部７５が、ゲート信号ＧＳＰＩＯ_Ａが正規のタイミングで出力されていないと判定した場合には、第１ゲートドライバ３１の故障と判定し、コントロール部７０はゲートスタートパルスＧＳＰＯＩ_ＡをＬｏレベルに固定する（後述の図２９の説明）。
【０２３７】
図２８では、ゲート信号ＧＳＰＩＯ_Ａが、正規のタイミングで出力されているため（図２８の丸囲み部分）、第１ゲートドライバ３１は正常と判定され、ゲートエラーフラグＡはＬｏレベルを維持される。
【０２３８】
これにより、次フレームにおいて、再び、コントロール部７０から第１ゲートチップドライバ３１ａにゲートスタートパルスＧＳＰＯＩ_Ａが入力され、上記と同様の処理が繰り返される。すなわち、図２８では、第１ゲートドライバ３１に不具合が生じていないため、第２ゲートドライバ３２へ切り替えられることなく、第１ゲートドライバ３１のみにより処理が繰り返される。このとき、第２ゲートドライバ３２では、入出力される各種信号はすべてＬｏレベルに維持されている。なお、報知部８０に入力されるゲートエラーフラグＡ・Ｃは、ともにＬｏレベルであるため、例えば、第１および第３ゲートドライバ３１・３３の状態を表示するＬＥＤランプ（第１Ｍａｉｎ）およびＬＥＤランプ（第１Ｓｕｂ）は、いずれも正常状態を示す「緑点灯」の状態となっている。
【０２３９】
ここで、コントロール部７０では、ゲート出力判定部７５による上記判定処理を行うとともに、第２ゲートドライバ３２へ動作指示を与える。具体的には、コントロール部７０は、ゲートスタートパルスＧＳＰＯＩ_Ａを第１ゲートドライバ３１へ出力してから２４０ライン後（２４０水平走査期間）に、ゲートスタートパルスＧＳＰＯＩ_Ｂを第２ゲートドライバ３２へ出力する。これにより、第１ゲートドライバ３１が故障しているか否かに関わらず、第２ゲートドライバ３２の駆動（走査）が開始する。
【０２４０】
これにより、第２ゲートチップドライバ３２ａ・３２ｂが順次駆動し、第２ゲートチップドライバ３２ｂからゲート信号ＧＳＰＩＯ_Ｂが出力され、コントロール部７０に入力される。
【０２４１】
ここで、コントロール部７０のゲート出力判定部７１では、同様に、ゲート信号ＧＳＰＩＯ_Ｂが正規（所定）のタイミングで出力されているか否かを判定する。具体的には、ゲート出力判定部７５は、ゲート信号ＧＳＰＩＯ_Ｂが、ゲートスタートパルスＧＳＰＯＩ_Ｂが出力されてから２４０ライン後に出力されているか、および、ゲート信号ＧＳＰＩＯ_Ｂが、ゲートスタートパルスＧＳＰＯＩ_Ｂが出力されてから２４０ライン後でないタイミングで出力されていないかを、検知パルスをトリガーとしてゲート信号ＧＳＰＩＯ_Ｂをモニタリングして判定する。ゲート出力判定部７５が、ゲート信号ＧＳＰＩＯ_Ｂが正規のタイミングで出力されていないと判定した場合には、第２ゲートドライバ３２の故障と判定し、コントロール部７０はゲートスタートパルスＧＳＰＯＩ_Ｂを出力状態からＬｏレベルに切り替える。
【０２４２】
図２８では、ゲート信号ＧＳＰＩＯ_Ｂが、正規のタイミングで出力されているため（図２８の丸囲み部分）、第２ゲートドライバ３２は正常と判定され、ゲートエラーフラグＢはＬｏレベルを維持される。
【０２４３】
これにより、次フレームにおいて、再び、コントロール部７０から第２ゲートチップドライバ３２ａにゲートスタートパルスＧＳＰＯＩ_Ｂが入力され、上記と同様の処理が繰り返される。すなわち、図２８では、第２ゲートドライバ３２に不具合が生じていないため、第４ゲートドライバ３４へ切り替えられることなく、第２ゲートドライバ３２のみにより処理が繰り返される。このとき、第４ゲートドライバ３４では、入出力される各種信号はすべてＬｏレベルに維持されている。なお、報知部８０に入力されるゲートエラーフラグＢ・Ｄは、ともにＬｏレベルであるため、例えば、第２および第４ゲートドライバ３２・３４の状態を表示するＬＥＤランプ（第２Ｍａｉｎ）およびＬＥＤランプ（第２Ｓｕｂ）は、いずれも正常状態を示す「緑点灯」の状態となっている。
【０２４４】
次に、液晶表示装置２を使用中に第１（メイン）ゲートドライバ３１が故障した場合について図２９を用いて説明する。ここでは、第１ゲートチップドライバ３１ａが故障（図示せず）し、ゲート信号ＧＳＰＩＯが、第１ゲートチップドライバ３１ｂに入力されず、最終段の第１ゲートチップドライバ３１ｂからゲート信号ＧＳＰＩＯ_Ａが正規のタイミングで出力されていない状態を示している（図２９の丸囲み点線部分）。
【０２４５】
この場合には、ゲート出力判定部７５に、ゲート信号ＧＳＰＩＯ_Ａが正規のタイミング（ゲートスタートパルスＧＳＰＯＩ_Ａが出力されてから２４０ライン後）で入力されないため、ゲート出力判定部７５は、第１ゲートドライバ３１の故障と判定する。そして、コントロール部７０は、ゲートスタートパルスＧＳＰＯＩ_ＡをＬｏレベルに固定するとともに、ゲートエラーフラグＡをＬｏレベルからＨｉレベルに切り替える。これにより、第１ゲートドライバ３１がアクティブ状態から非アクティブ状態に切り替わり、第１ゲートドライバ３１の動作が停止するとともに、報知部８０から、第１ゲートドライバ３１が故障したことを知らせるメッセージが外部に報知される。例えば、第１ゲートドライバ３１の状態を表示するＬＥＤランプ（第１Ｍａｉｎ）が、正常状態を示す「緑点灯」から、異常状態を示す「赤点灯」に切り替わる。これにより、ユーザは第１ゲートドライバ３１が故障したことを認識することができる。
【０２４６】
また、コントロール部７０では、上記判定処理を行うとともに、所定のタイミング（ゲートスタートパルスＧＳＰＯＩ_Ａが出力されてから２４０ライン）で第２ゲートドライバ３２へゲートスタートパルスＧＳＰＯＩ_Ｂを出力する。図２９では、第２ゲートドライバ３２に故障が生じていないため、図２８に示した通常の動作が行われる。
【０２４７】
続いて、コントロール部７０では、次フレームの開始タイミングに同期させて、ゲートスタートパルスＧＳＰＯＩ_ＣをＬｏレベルから出力状態に切り替え、第３ゲートドライバ３３を非アクティブ状態からアクティブ状態に切り替える。これにより、次フレームでは、第３ゲートドライバ３３が、ゲートライン１２ａ（Ｇ１〜Ｇ２４０）を駆動することになる。そして、第３ゲートドライバ３３の第３ゲートチップドライバ３３ａ・３３ｂが順次駆動し、第３ゲートチップドライバ３３ｂからゲート信号ＧＳＰＩＯ_Ｃが出力され、コントロール部７０に入力される。
【０２４８】
コントロール部７０のゲート出力判定部７５では、このゲート信号ＧＳＰＩＯ_Ｃが、ゲートスタートパルスＧＳＰＯＩ_Ｃが出力されてから２４０ライン後に出力されているか、および、ゲート信号ＧＳＰＩＯ_Ｃが、ゲートスタートパルスＧＳＰＯＩ_Ｃが出力されてから２４０ライン後でないタイミングで出力されていないかを、検知パルスをトリガーとしてゲート信号ＧＳＰＩＯ_Ｃをモニタリングして判定する。図２９では、ゲート信号ＧＳＰＩＯ_Ｃが、正規のタイミングで出力されているため（図２９の丸囲み部分）、第３ゲートドライバ３３は正常と判定され、ゲートエラーフラグＣはＬｏレベルを維持される。
【０２４９】
これにより、次フレームにおいて、再び、コントロール部７０から第３ゲートドライバ３３にゲートスタートパルスＧＳＰＯＩ_Ｃが入力され、上記と同様の処理が繰り返される。すなわち、図２９では、第３ゲートドライバ３３において不具合が生じていないため、第３ゲートドライバ３３により処理が繰り返される。このとき、故障と判定された第１ゲートドライバ３１では、ゲートスタートパルスＧＳＰＯＩ_ＡはＬｏレベルに維持されている。
【０２５０】
このように、図２９の構成では、第１フレームにおいて第１ゲートドライバ３１が故障した場合、ゲートライン１２ａについては、第２フレーム以降は第３ゲートドライバ３３により駆動される一方、ゲートライン１２ｂについては、第２ゲートドライバ３２により駆動される。なお、第１フレームにおいて第２ゲートドライバ３２が故障した場合には、ゲートライン１２ａについては、第１ゲートドライバ３１により駆動される一方、ゲートライン１２ｂについては、第２フレーム以降は第４ゲートドライバ３４により駆動される。
【０２５１】
次に、図２９の駆動（すなわち、第１（メイン）ゲートドライバ３１が停止し、第３（サブ）ゲートドライバ３３が駆動）をしている液晶表示装置２を使用中に、第３（サブ）ゲートドライバ３３が故障した場合について、図３０を用いて説明する。図３０では、ある第３ゲートチップドライバ３３ｂ（図示せず）が故障し、第３ゲートチップドライバ３３ｂからゲート信号ＧＳＰＩＯ_Ｃが正規のタイミングで出力されていない状態を示している（図３０の丸囲み点線部分）。なお、説明の便宜上、上記故障は、第２フレームおいて生じたものとする。
【０２５２】
この場合には、ゲート出力判定部７５に、ゲート信号ＧＳＰＩＯ_Ｃが正規のタイミング（ゲートスタートパルスＧＳＰＯＩ_Ｃが出力されてから２４０ライン後）で入力されないため、ゲート出力判定部７５は、第３ゲートドライバ３３の故障と判定する。この判定結果を受けてコントロール部７０は、ゲートスタートパルスＧＳＰＯＩ_ＣをＬｏレベルに固定する。これにより、第３ゲートドライバ３３がアクティブ状態から非アクティブ状態に切り替わり、第３ゲートドライバ３３の動作が停止する。
【０２５３】
また、コントロール部７０は、ゲートエラーフラグＣをＬｏレベルからＨｉレベルに切り替えることにより、報知部８０から、第３ゲートドライバ３３が故障したことを知らせるメッセージが外部に報知される。例えば、第３ゲートドライバ３３の状態を表示するＬＥＤランプ（第１Ｓｕｂ）が、正常状態を示す「緑点灯」から、異常状態を示す「赤点灯」に切り替わる。これにより、ＬＥＤランプ（第１Ｍａｉｎ）およびＬＥＤランプ（第１Ｓｕｂ）ともに「赤点灯」となり、ユーザは第１および第３ゲートドライバ３１・３３が故障したことを認識することができる。
【０２５４】
一方、コントロール部７０では、上記判定処理および切替処理を行うとともに、第２ゲートドライバ３２へゲートスタートパルスＧＳＰＯＩ_Ｂを出力する。図３０では、第２ゲートドライバ３２に故障が生じていないため、図２８に示した通常の動作が行われる。
【０２５５】
続いて、第３フレームでは、コントロール部７０は、第３フレームの開始タイミングでゲートスタートパルスＧＳＰＯＩ_Ｃの出力を行わず、２４０ライン後にゲートスタートパルスＧＳＰＯＩ_Ｂを出力する。このとき、コントロール部７０は、メモリ部７６に格納されているメッセージデータを第２ゲートドライバ３２に供給する。メッセージの内容としては、液晶表示装置２に故障が発生している旨をユーザに警告する内容であり、さらに、サービスセンターの連絡先等を含めてもよい。これらのメッセージは、予めメモリ部７６に登録されるものであり、また、必要に応じて追加や修正が可能となっている。
【０２５６】
これにより、第３フレームでは、ゲートライン１２ａに相当する表示画面の上半分には何も表示されず、ゲートライン１２ｂに相当する表示画面の下半分には、所望のメッセージ（警告）表示が行われる。
【０２５７】
ここで、第１（メイン）ゲートドライバ３１、第２（メイン）ゲートドライバ３２、第３（サブ）ゲートドライバ３３が停止し、第４（サブ）ゲートドライバ３４のみが駆動している液晶表示装置２において、第４（サブ）ゲートドライバ３４が故障した場合について説明する。
【０２５８】
この場合には、ゲート出力判定部７５に、ゲート信号ＧＳＰＩＯ_Ｄが正規のタイミング（ゲートスタートパルスＧＳＰＯＩ_Ｄが出力されてから２４０ライン後）で入力されないため、ゲート出力判定部７５は、第４ゲートドライバ３４の故障と判定する。この判定結果を受けてコントロール部７０は、ゲートスタートパルスＧＳＰＯＩ_ＤをＬｏレベルに固定する。これにより、第４ゲートドライバ３４がアクティブ状態から非アクティブ状態に切り替わり、第４ゲートドライバ３４の動作が停止する。これにより、次フレームでは、全てのゲートドライバが停止状態となる。
【０２５９】
また、コントロール部７０は、ゲートエラーフラグＤをＬｏレベルからＨｉレベルに切り替えることにより、報知部８０から、第４ゲートドライバ３４が故障したことを知らせるメッセージが外部に報知される。例えば、第４ゲートドライバ３４の状態を表示するＬＥＤランプ（第２Ｓｕｂ）が、正常状態を示す「緑点灯」から、異常状態を示す「赤点灯」に切り替わる。これにより、これにより、全ＬＥＤランプが「赤点灯」となり、ユーザは全てのゲートドライバが故障したことを認識することができる。
【０２６０】
なお、図２９では、第１ゲートチップドライバ３１ａの故障によりゲート信号ＧＳＰＩＯ（Ｍａｉｎ）が出力されない場合を示したが、他の不具合例としては、不正なタイミングでゲート信号ＧＳＰＩＯ_Ａが出力される場合や、正規のタイミングおよび不正なタイミング双方でゲート信号ＧＳＰＩＯ_Ａが出力される場合が挙げられる。その点、本液晶表示装置２のゲート出力判定部７５によれば、ゲート信号ＧＳＰＩＯ_Ａが、ゲートスタートパルスＧＳＰＯＩ_Ａが出力されてから２４０ライン後に出力されているか、および、ゲート信号ＧＳＰＩＯ_Ａが、ゲートスタートパルスＧＳＰＯＩ_Ａが出力されてから２４０ライン後でないタイミングで出力されていないか、の双方をチェックして正常／異常を判定しているため、ゲートドライバの故障を確実に検出することができる。
【０２６１】
また、検出精度を高めるために、検知パルスの周期を短くする構成、および、カウンタ部７３を備えて、異常判定回数に基づきゲートドライバの故障を判定する構成については、実施の形態１およびソースドライバの構成と同様に適用することができる。
【０２６２】
なお、上記の形態では、ゲートドライバからゲート出力判定部７５に入力され（戻され）異常検知の対象となるゲート信号ＧＳＰＩＯを、最終のスタートパルス出力ＧＳＰＩＯとしているが、これに限定されるものではなく、例えば、第１ゲートチップドライバ３１ａから出力されるゲート信号ＧＳＰＩＯとしてもよい。あるいは、第１ゲートチップドライバ３１ａのゲート信号ＧＳＰＩＯを、ゲート出力判定部７５に入力して、ゲート信号ＧＳＰＩＯが異常であるか否かを判定する構成としてもよい。
【０２６３】
ここで、上記動作例に対応するフローチャートを図３１に示す。図３１に示すように、まず、ステップＳ５１において、コントロール部７０は、ゲートスタートパルスＧＳＰＯＩ_Ａを出力状態とする。このとき、ゲートスタートパルスＧＳＰＯＩ_Ｃ、ゲートエラーフラグＡ、ゲートエラーフラグＣについてはＬｏレベルを出力する。
【０２６４】
次に、ステップＳ５２において、ゲート出力判定部７５が、正規の位置（タイミング）でゲート信号ＧＳＰＩＯ_Ａが出力されているか、および、正規の位置ではない位置でゲート信号ＧＳＰＩＯ_Ａが出力されていないかを判定する。
【０２６５】
ステップＳ５２においてＹＥＳの場合、すなわち、ゲート信号ＧＳＰＩＯ_Ａが、正規の位置（タイミング）で出力され、かつ、正規の位置ではない位置で出力されていない場合には、第１ゲートドライバ３１は正常であると判定し、ステップＳ５１に戻り、第１ゲートドライバ３１において通常の動作が繰り返される。
【０２６６】
一方、ステップＳ５２においてＮＯの場合、すなわち、ゲート信号ＧＳＰＩＯ_Ａが、正規の位置（タイミング）で出力されていない場合、または、正規の位置ではない位置で出力されている場合、あるいは、正規の位置で出力されているにもかかわらず他の位置でも出力されている場合には、第１ゲートドライバ３１が故障していると判定し、次のステップＳ５３に移行する。
【０２６７】
ステップＳ５３では、ゲート出力判定部７５の判定結果（第１ゲートドライバ３１の故障）に基づいて、コントロール部７０が、ゲートスタートパルスＧＳＰＯＩ_ＡをＬｏレベルに固定し、ゲートスタートパルスＧＳＰＯＩ_Ｃを出力状態に切り替える。さらに、ゲートエラーフラグＡをＨｉレベルに切り替える。ゲートエラーフラグＣについては、Ｌｏレベルを維持する。これにより、第１ゲートドライバ３１が停止し、第３ゲートドライバ３３が駆動する。同時に、第１ゲートドライバ３１の故障が外部に報知される。
【０２６８】
次に、ステップＳ５４では、ステップＳ５２の処理と同様、第３ゲートドライバ３３において、ゲート出力判定部７５が、ゲート信号ＧＳＰＩＯ_Ｃの出力タイミングをモニタリングして、第３ゲートドライバ３３の状態を判定する。
【０２６９】
ステップＳ５４においてＹＥＳの場合、すなわち、ゲート信号ＧＳＰＩＯ_Ｃが、正規の位置（タイミング）で出力され、かつ、正規の位置ではない位置で出力されていない場合には、第３ゲートドライバ３３は正常であると判定し、ステップＳ５３に戻り、第３ゲートドライバ３３による通常の動作が繰り返される。
【０２７０】
一方、ステップＳ５４においてＮＯの場合、すなわち、ゲート信号ＧＳＰＩＯ_Ｃが、正規の位置（タイミング）で出力されていない場合、または、正規の位置ではない位置で出力されている場合、あるいは、正規の位置で出力されているにもかかわらず他の位置でも出力されている場合には、第３ゲートドライバ３３が故障していると判定し、次のステップＳ５５に移行する。
【０２７１】
ステップＳ５５では、ゲート出力判定部７５の判定結果（第３ゲートドライバ３３の故障）に基づいて、コントロール部７０が、ゲートスタートパルスＧＳＰＯＩ_ＣをＬｏレベルに固定する。さらに、ゲートエラーフラグＣをＨｉレベルに切り替える。これにより、第１ゲートドライバ３１に加えて、第３ゲートドライバ３３の動作も停止する。そして、第１および第３ゲートドライバ３１・３３の故障が外部に報知される。また、この場合には、表示画面の下半分には警告表示（図３０参照）が行われる。
【０２７２】
次に、ステップＳ５６では、ゲートエラーフラグＢ・Ｄの何れもがＯＮ（Ｈｉレベル）であるか否かを判定する。ステップＳ５６においてＹＥＳの場合、すなわち、ゲートエラーフラグＢ・Ｄの何れもがＨｉレベルである場合には、第１〜第４ゲートドライバ３１〜３４の全てが故障していると判定し、液晶表示装置２の機能を停止する（ステップＳ５７）。
【０２７３】
一方、ステップＳ５６においてＮＯの場合、すなわち、ゲートエラーフラグＢ・Ｄの少なくとも何れか一方がＬｏレベルである場合には、第２・第４ゲートドライバ３２・３４の少なくとも何れか一方は正常であると判定し、ステップＳ５５に戻り、上記警告表示が繰り返される（図３０参照）。
【０２７４】
以上のように、本実施の形態に係る液晶表示装置２では、全ゲートラインが複数の組（図２０では、２組：ゲートライン１２ａとゲートライン１２ｂ）に分割され、各組に対応してゲートドライバ（ゲートドライバ３１・３２）が個別に設けられている。これにより、何れかのゲートドライバ（例えば、ゲートドライバ３１）が故障した場合でも、正常なゲートドライバ（例えば、ゲートドライバ３２）により、対応するゲートライン（例えば、ゲートライン１２ｂ）を駆動することができるため、表示機能が突然停止することがない。よって、ユーザによる使用中に表示画面に何も表示されなくなるという不具合を回避することができる。また、一方のゲートドライバが故障した場合には、他方のゲートドライバの動作により、故障した旨のメッセージが表示画面の一部に表示されるため、ユーザは故障（表示不良）の原因等を認識することができる。
【０２７５】
このような効果を得るためには、本液晶表示装置は、上記分割された組ごとに少なくとも１つのソースドライバを備えていればよい。
【０２７６】
加えて、図２０に示す液晶表示装置２では、上記分割された組ごとに２つのゲートドライバを備えているため、例えば、第１（メイン）ゲートドライバ３１が故障した場合には、自動的に第３（サブ）ゲートドライバ３２（冗長回路）に切り替わるため、表示機能を停止させることなく動作を続行させることができる。よって、製造時においては冗長回路に切り替える手間を省くことができるとともに、ユーザ使用時においては製品寿命を延ばすことができる。
【０２７７】
さらに、図２０に示す液晶表示装置２では、複数のゲートドライバおよび複数のソースドライバが個別に配されているため、表示パネルの全表示領域を、１つのゲートドライバおよび１つのソースドライバに対応するマトリクス状の領域に分割（図２０の形態では、４分割）することができる。そして、コントロール部７０は、ソース出力判定部７４およびゲート出力判定部７５を含んでいるため、両者の判定結果に基づいて、第１および第２ソースドライバ２１・２２、第１および第２ゲートドライバ３１・３２を制御することができる。これにより、各分割領域を個別に制御（駆動）することができるため、ユーザによる使用中に表示画面に何も表示されなくなるという不具合の発生をより抑えることができ、信頼性を向上させることができる。
【０２７８】
また、図３２（液晶表示装置２′）に示すように、コントロール部７０から、各チップドライバに制御信号（Ｈｉ−Ｚ制御信号）を入力する構成としてもよい。なお、図３２では、第２ソースドライバ２２および第４ソースドライバ２４、第２ゲートドライバ３２および第４ゲートドライバ３４を省略している。具体的には、初期状態において、コントロール部７０は、第１ソースチップドライバ２１ａ・２１ｂ・２１ｃのそれぞれに、Ｈｉレベルのソース制御信号_Ａを入力し、第３ソースチップドライバ２３ａ・２３ｂ・２３ｃのそれぞれに、Ｌｏレベルのソース制御信号_Ｃを入力し、第１ゲートチップドライバ３１ａ・３１ｂのそれぞれに、Ｈｉレベルのゲート制御信号_Ａを入力し、第３ゲートチップドライバ３３ａ・３３ｂのそれぞれに、Ｌｏレベルのゲート制御信号_Ｃを入力する。ここで、メイン側が故障した場合には、メイン側の制御信号（Ａ）をＬｏレベルに切り替えるとともに、サブ側の制御信号（Ｃ）をＨｉレベルに切り替えることにより、冗長回路への切り替えが行われる。
【０２７９】
また、図２０に示す構成では、チップドライバごとに制御信号を入力する構成であるため、チップドライバごとに、正常なチップドライバに切り替える構成としてもよい。例えば、第１ソースチップドライバ２１ｂが故障した場合には、第１ソースチップドライバ２１ａ・２１ｃに入力するソース制御信号_ＡをＨｉレベルに維持しつつ、第１ソースチップドライバ２１ｂに入力するソース制御信号_ＡをＬｏレベルに切り替え、第２ソースチップドライバ２２ａ・２２ｃに入力するソース制御信号_ＣをＬｏレベルに維持しつつ、第２ソースチップドライバ２２ｂに入力するソース制御信号_ＣをＨｉレベルに切り替える。ゲートチップドライバにおいても同様の構成とすることができる。これにより、故障したチップドライバのみを切り替えることができるため、信頼性を向上させることができるとともに、製品寿命をさらに延ばすことができる。
【０２８０】
本発明は上記の実施の形態に限定されるものではなく、上記実施の形態を技術常識に基づいて適宜変更したものやそれらを組み合わせて得られるものも本発明の実施の形態に含まれる。
【産業上の利用可能性】
【０２８１】
本発明は、アクティブマトリクス型液晶表示装置の駆動に特に好適に適用できる。
【符号の説明】
【０２８２】
１、１′、２、２′  液晶表示装置（表示装置）
１０        液晶表示パネル（表示パネル）
１１，１１ａ，１１ｂ  ソースバスライン（データ信号線）
１２，１２ａ、１２ｂ  ゲートライン（走査信号線）
１２ｘ      ダミーライン（ダミー走査信号線）
１３        ＴＦＴ（トランジスタ）
１４        画素電極
２０〜２４  ソースドライバ（データ信号線駆動回路）
２１ａ〜２１ｃ  第１ソースチップドライバ
２２ａ〜２２ｃ  第２ソースチップドライバ
２３ａ〜２３ｃ  第３ソースチップドライバ
２４ａ〜２４ｃ  第４ソースチップドライバ
３０ａ      第１ゲートドライバ（走査信号線駆動回路）
３０ｂ      第２ゲートドライバ（走査信号線駆動回路）
４０ａ      第３ゲートドライバ（走査信号線駆動回路）
４０ｂ      第４ゲートドライバ（走査信号線駆動回路）
５０ａ      第１切替スイッチ部（切替手段）
５１ａ      第１スイッチ（スイッチング素子）
５０ｂ      第２切替スイッチ部（切替手段）
５１ｂ      第２スイッチ（スイッチング素子）
６０ａ      第３切替スイッチ部（切替手段）
６１ａ      第３スイッチ（スイッチング素子）
６０ｂ      第４切替スイッチ部（切替手段）
６１ｂ      第４スイッチ（スイッチング素子）
３１ａ、３１ｂ  第１ゲートソースチップドライバ
３２ａ、３２ｂ  第２ゲートチップドライバ
３３ａ、３３ｂ  第３ゲートチップドライバ
３４ａ、３４ｂ  第４ゲートチップドライバ
７０        コントロール部（切替手段）
７１        ゲート出力判定部（判定手段）
７３        カウンタ部（計測手段）
７４        ソース出力判定部（判定手段）
７５        ゲート出力判定部（判定手段）
８０        報知部（報知手段）
【図１】
2010217344.tif 000003
【図２】
2010217344.tif 000004
【図３】
2010217344.tif 000005
【図４】
2010217344.tif 000006
【図５】
2010217344.tif 000007
【図６】
2010217344.tif 000008
【図７】
2010217344.tif 000009
【図８】
2010217344.tif 000010
【図９】
2010217344.tif 000011
【図１０】
2010217344.tif 000012
【図１１】
2010217344.tif 000013
【図１２】
2010217344.tif 000014
【図１３】
2010217344.tif 000015
【図１４】
2010217344.tif 000016
【図１５】
2010217344.tif 000017
【図１６】
2010217344.tif 000018
【図１７】
2010217344.tif 000019
【図１８】
2010217344.tif 000020
【図１９】
2010217344.tif 000021
【図２０】
2010217344.tif 000022
【図２１】
2010217344.tif 000023
【図２２】
2010217344.tif 000024
【図２３】
2010217344.tif 000025
【図２４】
2010217344.tif 000026
【図２５】
2010217344.tif 000027
【図２６】
2010217344.tif 000028
【図２７】
2010217344.tif 000029
【図２８】
2010217344.tif 000030
【図２９】
2010217344.tif 000031
【図３０】
2010217344.tif 000032
【図３１】
2010217344.tif 000033
【図３２】
2010217344.tif 000034
【図３３】
2010217344.tif 000035
【図３４】
2010217344.tif 000036
【図３５】
2010217344.tif 000037
【図３６】
2010217344.tif 000038